(57)【要約】  タイムドメインリソース決定および検出方法および装置、記憶媒体、ならびに電子デバイスが提供される。この方法はタイムドメインリソース割当パターンセットを決定するステップを含む。タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含む。タイムドメインリソース割当パターンセットにおけるタイムドメインリソース割当パターンを用いることにより、第２のチャネル信号が占有するシンボルを示す。これにより、関連技術における、第２のチャネル信号がスロット内の数個の連続シンボル上で送信されることについてのみサポートされるという技術的課題を解決する。
2021520721.tif 000002
【特許請求の範囲】
【請求項１】
タイムドメインリソース決定方法であって、
タイムドメインリソース割当パターンセットを決定するステップを含み、前記タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含み、
前記タイムドメインリソース割当パターンセットにおけるタイムドメインリソース割当パターンを用いることにより、前記第２のチャネル信号が占有するシンボルを示す、タイムドメインリソース決定方法。
【請求項２】
前記第１のＳＣＳと第２のＳＣＳとの組み合わせに対応するタイムドメインリソース割当パターンセットを決定するステップは、前記タイムドメインリソース割当パターンセットと、前記第１のＳＣＳと第２のＳＣＳとの組み合わせとの間の対応関係を定めるステップと、前記対応関係に従い、前記第１のＳＣＳと第２のＳＣＳとの組み合わせが使用する前記タイムドメインリソース割当パターンセットを決定するステップとを含む、請求項１に記載の方法。
【請求項３】
前記タイムドメインリソース割当パターンセットが前記ＤＣＩシグナリングによって指示される場合、前記タイムドメインリソース割当パターンセットは、連続するタイムドメインリソース割当パターンのセット、不連続のタイムドメインリソース割当パターンのセット、スロットが前記第１のチャネル信号を含む場合のタイムドメインリソース割当パターンセット、または、スロットが第１のチャネル信号を含まない場合のタイムドメインリソース割当パターンセット、のうちの少なくとも１つを含む、請求項１に記載の方法。
【請求項４】
前記スロットタイプは、前記第１のチャネル信号の送信リソースを含むスロットと、前記第１のチャネル信号の送信リソースを含まないスロットとを含む、請求項１に記載の方法。
【請求項５】
前記ＤＣＩシグナリングにより、前記タイムドメインリソース割当パターンセットにおける前記タイムドメインリソース割当パターンを指示するステップをさらに含む、請求項１に記載の方法。
【請求項６】
前記第２のチャネル信号が占有するシンボルは、前記第１のチャネル信号が占有するタイムドメインリソースの、先行するＭ個のシンボルと後続のＮ個のシンボルとを含み、ＭおよびＮは０以上の整数であり、Ｍ＋Ｎ＜１４である、請求項１に記載の方法。
【請求項７】
前記第２のチャネル信号が占有するシンボルのうち、連続シンボルの隣り合う２つのグループ間の間隔は、前記第１のチャネル信号が占有するシンボルの数の整数倍である、請求項１に記載の方法。
【請求項８】
前記第２のチャネル信号が占有するシンボルは、前記第２のチャネル信号が占有する連続するＰ個のシンボルを含み、Ｐは０＜Ｐ≦１４を満たす整数である、請求項１に記載の方法。
【請求項９】
前記第２のチャネル信号が占有するシンボル以外のタイムドメインリソースは、前記第１のチャネル信号の少なくとも１つのマッピングパターン、物理ダウンリンク制御チャネルのマッピングパターン、または、ガード期間および物理アップリンク制御チャネルのマッピングパターン、のうちの少なくとも１つに対応する、請求項１に記載の方法。
【請求項１０】
前記第２のチャネル信号が占有するシンボルは、前記ダウンリンク制御情報に先行するシンボル、前記ダウンリンク制御情報のためのシンボル、または、前記ダウンリンク制御情報の後続のシンボル、のうちの少なくとも１つを含む、請求項１に記載の方法。
【請求項１１】
前記第１のチャネル信号は、同期信号物理ブロードキャストチャネルブロック（ＳＳＢ）を意味し、前記第２のチャネル信号は、残余最小限システム情報（ＲＭＳＩ）を搬送する物理ダウンリンク共有チャネル（ＰＤＳＣＨ）、ページング情報を搬送するＰＤＳＣＨ、その他システム情報（ＯＳＩ）を搬送するＰＤＳＣＨ、ランダムアクセス応答情報を搬送するＰＤＳＣＨ、ランダムアクセス衝突解消情報を搬送するＰＤＳＣＨ、メッセージ２（ＭＳＧ２）を搬送するＰＤＳＣＨ、または、メッセージ４（ＭＳＧ４）を搬送するＰＤＳＣＨ、のうちの少なくとも１つを含む、請求項１〜１０のいずれか１項に記載の方法。
【請求項１２】
前記第１のＳＣＳと第２のＳＣＳとの組み合わせは、｛１５，１５｝ｋＨｚ、｛１５，３０｝ｋＨｚ、｛３０，１５｝ｋＨｚ、｛３０，３０｝ｋＨｚ、｛１２０，６０｝ｋＨｚ、｛１２０，１２０｝ｋＨｚ、｛２４０，６０｝ｋＨｚ、または、｛２４０，１２０｝ｋＨｚ、のうちの少なくとも１つを含む、請求項１に記載の方法。
【請求項１３】
前記第１のＳＣＳと第２のＳＣＳとの組み合わせが｛１５，１５｝ｋＨｚである場合、前記タイムドメインリソース割当パターンセットは、以下のタイムドメインリソース割当パターン、すなわち、シンボル０，１，４，５，６および７；シンボル０，１，４，５，６，７，１２および１３；シンボル０，１，２，６，７，１２および１３；シンボル０，１，２，６および７；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル３，４，５，６，７，１２および１３；シンボル４および５；シンボル４〜７；シンボル４〜８；シンボル４〜１０；シンボル４〜１１；シンボル４〜１３；シンボル６〜９；シンボル６〜１２；シンボル６〜１３；シンボル６および７；シンボル６，７，１２および１３；シンボル８〜１３；シンボル９〜１３；シンボル１０〜１３；または、シンボル１２および１３、のうちの１つ以上を含む、請求項１に記載の方法。
【請求項１４】
前記第１のＳＣＳと第２のＳＣＳとの組み合わせが｛１５，３０｝ｋＨｚである場合、前記タイムドメインリソース割当パターンセットは、以下のタイムドメインリソース割当パターン、すなわち、シンボル２〜１３；シンボル２〜１１；シンボル２〜１０；シンボル２〜９；シンボル２〜７；シンボル２〜６；シンボル２〜５；シンボル２，３，１２および１３；シンボル２および３；シンボル３〜１３；シンボル３〜１１；シンボル３〜１０；シンボル３〜９；シンボル３〜８；シンボル３〜７；シンボル３〜６；シンボル３，１２および１３；シンボル４〜７；シンボル４〜１０；シンボル４〜１１；シンボル４〜１３；シンボル６〜９；シンボル６〜１２；シンボル６〜１３；シンボル８〜１３；シンボル９〜１３；シンボル１０〜１３；または、シンボル１２および１３、のうちの１つ以上を含む、請求項１に記載の方法。
【請求項１５】
前記第１のＳＣＳと第２のＳＣＳとの組み合わせが｛３０，１５｝ｋＨｚである場合、前記タイムドメインリソース割当パターンセットは、以下のタイムドメインリソース割当パターン、すなわち、シンボル０，１，２，６および７；シンボル０，１，２，６，７，１０，１１，１２および１３；シンボル０，１，２，６，７，８，９および１０；シンボル０，１，２，６，７，８，９，１０および１３；シンボル０，１，６および７；シンボル０，１，６，７，１０，１１，１２および１３；シンボル０，１，４，５，６，７，８および９；シンボル０，１，４，５，６，７，８，９，１２および１３；シンボル０，１，１０，１１，１２および１３；シンボル０，１，４，５，６，７，８，９および１０；シンボル０，１，４，５，６，７，８，９，１０および１３；シンボル０，１，４，５，６，７，１０，１１，１２および１３；シンボル０，１，４，５，６および７；シンボル０，１，６，７，８，９，１０，１１，１２および１３；シンボル０，１，６，７，８，９，１０および１１；シンボル２〜１３；シンボル２〜１１；シンボル２〜１０；シンボル２，３，４，５，６，７，８，９，１０および１３；シンボル２，３，４，５，６，７，８，９，１２および１３；シンボル２〜９；シンボル２〜７；シンボル２〜６；シンボル２〜５；シンボル２，３，６，７，１０，１１，１２および１３；シンボル２，３，６および７；シンボル２および３；シンボル３〜１３；シンボル３〜１１；シンボル３〜１０；シンボル３，４，５，６，７，８，９，１０および１３；シンボル３〜９；シンボル３，４，５，６，７，８，９，１２および１３；シンボル３〜８；シンボル３〜７；シンボル３〜６；シンボル４〜７；シンボル４〜８；シンボル４〜１０；シンボル４，５，６，７，８，９，１０および１３；シンボル４〜１１；シンボル４〜１３；シンボル６〜９；シンボル６〜１２；シンボル６〜１３；シンボル６，７，８，９，１０および１３；シンボル６，７および８；シンボル６および７；シンボル６，７および１０；シンボル６，７，１０および１１；シンボル７〜１０；シンボル７，８，９，１０および１３；シンボル７，８，９，１２および１３；シンボル７，１０，１１，１２および１３；シンボル８〜１３；シンボル８および９；シンボル９〜１３，シンボル９，１０および１３；シンボル９，１２および１３；シンボル１０〜１３；シンボル１１〜１３；または、シンボル１２および１３、のうちの１つ以上を含む、請求項１に記載の方法。
【請求項１６】
前記第１のＳＣＳと第２のＳＣＳとの組み合わせが｛３０，３０｝ｋＨｚである場合、前記タイムドメインリソース割当パターンセットは、以下のタイムドメインリソース割当パターン、すなわち、シンボル０，１，１２および１３；シンボル０，１，８，９，１０および１１；シンボル０，１，８，９，１０，１１，１２および１３；シンボル０，１，４，５，６，７，１２および１３；シンボル０，１，４，５，６および７；シンボル０，１，４および５；シンボル０，１，４，５，１０，１１，１２および１３；シンボル２，３，１２および１３；シンボル２，３，８および９；シンボル２，３，８，９，１０，１１および１２；シンボル２，３，８，９，１０，１１，１２および１３；シンボル２〜１３；シンボル２〜１１；シンボル２〜１０；シンボル２〜９；シンボル２〜７；シンボル２，３，４，５，６，７，１２および１３；シンボル２〜６；シンボル２〜５；シンボル２，３，４，５，１０，１１，１２および１３；シンボル３〜１３；シンボル３〜１１；シンボル３〜１０；シンボル３〜９；シンボル３〜８；シンボル３〜７；シンボル３，４，５，６，７，１２および１３；シンボル３〜６；シンボル３，１２および１３；シンボル４〜６；シンボル４〜７；シンボル４〜８；シンボル４〜１０；シンボル４〜１１；シンボル４〜１３；シンボル４，５，６，７，１２および１３；シンボル４，５および１０；シンボル４，５，１０，１１，１２および１３；シンボル６および７；シンボル６〜９；シンボル６〜１２；シンボル６〜１３；シンボル６，７，１２および１３；シンボル７，１２および１３；シンボル８〜１３；シンボル８〜１１；シンボル９〜１３；シンボル１０〜１３；シンボル１０および１１；シンボル１１，１２および１３；シンボル１２および１３；シンボル１２；または、シンボル１３、のうちの１つ以上を含む、請求項１に記載の方法。
【請求項１７】
前記第１のＳＣＳと第２のＳＣＳとの組み合わせが｛１２０，６０｝ｋＨｚである場合、前記タイムドメインリソース割当パターンセットは、以下のタイムドメインリソース割当パターン、すなわち、シンボル０〜６；シンボル０〜３；シンボル０，１，２，３および６；シンボル０，１，２，３，６，８および９；シンボル０，１，２，３，６，８，９，１０および１１；シンボル０，１，２，３，６，８，９，１０，１１，１２および１３；シンボル０，１，２，３，６，９，１０，１１，１２および１３；シンボル０，１，２，３，６，９および１０；シンボル０，１，２，３，６，１０，１１，１２および１３；シンボル０，１，２，３，６，１０および１１；シンボル０，１，４，５および６；シンボル０，１，４，５，６，８および９；シンボル０，１，４，５，６，９および１０；シンボル０，１，４，５，６，９，１０，１１，１２および１３；シンボル０，１，４，５，６，８，９，１０および１１；シンボル０，１，４，５，６，８，９，１０，１１，１２および１３；シンボル１，４，５および６；シンボル１，２，３および６；シンボル１，２，３，６および８；シンボル２，３，６および９；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル３，６および１０；シンボル４，５，６および９；シンボル４〜７；シンボル４〜８；シンボル４〜１０；シンボル４〜１１；シンボル４〜１３；シンボル５，６，１２および１３；シンボル６〜９；シンボル６〜１２；シンボル６〜１３；シンボル６，１２および１３；シンボル６，９，１２および１３；シンボル８，９，１２および１３；シンボル８〜１３；シンボル９〜１３；シンボル９〜１２；シンボル９，１２および１３；シンボル１０〜１３；または、シンボル１２および１３、のうちの１つ以上を含む、請求項１に記載の方法。
【請求項１８】
前記第１のＳＣＳと第２のＳＣＳとの組み合わせが｛１２０，１２０｝ｋＨｚである場合、前記タイムドメインリソース割当パターンセットは、以下のタイムドメインリソース割当パターン、すなわち、シンボル１および６；シンボル１，６，８および９；シンボル１〜４；シンボル１〜６；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル４〜７；シンボル４〜８；シンボル４〜１０；シンボル４〜１１；シンボル４〜１３；シンボル６〜９；シンボル６〜１２；シンボル６〜１３；シンボル８〜１３；シンボル８〜１１；シンボル９〜１３；シンボル１０〜１３；または、シンボル１２および１３、のうちの１つ以上を含む、請求項１に記載の方法。
【請求項１９】
前記第１のＳＣＳと第２のＳＣＳとの組み合わせが｛２４０，６０｝ｋＨｚである場合、前記タイムドメインリソース割当パターンセットは、以下のタイムドメインリソース割当パターン、すなわち、シンボル１，６，８および９；シンボル１〜４；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル４〜７；シンボル４〜８；シンボル４〜１０；シンボル４〜１１；シンボル４〜１３；シンボル５，６，１２および１３；シンボル６〜９；シンボル６〜１２；シンボル６〜１３；シンボル６，７，１２および１３；シンボル８〜１３；シンボル８〜１１；シンボル９〜１３；シンボル９〜１２；シンボル１０〜１３；または、シンボル１２および１３、のうちの１つ以上を含む、請求項１に記載の方法。
【請求項２０】
前記第１のＳＣＳと第２のＳＣＳとの組み合わせが｛２４０，１２０｝ｋＨｚである場合、前記タイムドメインリソース割当パターンセットは、以下のタイムドメインリソース割当パターン、すなわち、シンボル１，４，５および６；シンボル１，２，３および６；シンボル１〜６；シンボル２，３，６および９；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル４，５，８および９；シンボル４，５，６および９；シンボル４〜７；シンボル４〜８；シンボル４〜１０；シンボル４〜１１；シンボル４〜１３；シンボル５〜１３；シンボル６〜９；シンボル６〜１２；シンボル６〜１３；シンボル６および７；シンボル６，７，１２および１３；シンボル６，９，１２および１３；シンボル８〜１３；シンボル８，９，１２および１３；シンボル８〜１１；シンボル９〜１３；シンボル９〜１２；シンボル１０〜１３；または、シンボル１２および１３、のうちの１つ以上を含む、請求項１に記載の方法。
【請求項２１】
タイムドメインリソース決定方法であって、
第１のサブキャリア間隔（ＳＣＳ）と第２のＳＣＳとの組み合わせ、ダウンリンク制御情報（ＤＣＩ）シグナリングの指示、またはスロットタイプ、のうちの少なくとも１つに従い、タイムドメインリソース割当パターンセットを決定するステップと、
前記タイムドメインリソース割当パターンセットにおけるタイムドメインリソース割当パターンに従い、第２のチャネル信号が占有するシンボルを決定するステップとを含み、前記第２のＳＣＳは前記第２のチャネル信号のＳＣＳである、タイムドメインリソース決定方法。
【請求項２２】
前記第１のＳＣＳと第２のＳＣＳとの組み合わせに従いタイムドメインリソース割当パターンセットを決定するステップは、前記タイムドメインリソース割当パターンセットと、前記第１のＳＣＳと第２のＳＣＳとの組み合わせとの間の対応関係を定めるステップと、前記対応関係に従い、前記第１のＳＣＳと第２のＳＣＳとの組み合わせが使用する前記タイムドメインリソース割当パターンセットを決定するステップとを含む、請求項２１に記載の方法。
【請求項２３】
前記タイムドメインリソース割当パターンセットが前記ＤＣＩシグナリングの指示に従って決定される場合、前記タイムドメインリソース割当パターンセットは、連続するタイムドメインリソース割当パターンのセット、不連続のタイムドメインリソース割当パターンのセット、スロットが第１のチャネル信号を含む場合のタイムドメインリソース割当パターンセット、または、スロットが第１のチャネル信号を含まない場合のタイムドメインリソース割当パターンセット、のうちの少なくとも１つを含む、請求項２１に記載の方法。
【請求項２４】
前記スロットタイプは、第１のチャネル信号の送信リソースを含むスロットと、前記第１のチャネル信号の送信リソースを含まないスロットとを含む、請求項２１に記載の方法。
【請求項２５】
前記ＤＣＩシグナリングの指示に従って前記タイムドメインリソース割当パターンを決定するステップをさらに含む、請求項２１に記載の方法。
【請求項２６】
前記第２のチャネル信号が占有するシンボルは、第１のチャネル信号が占有するタイムドメインリソースの、先行するＭ個のシンボルと後続のＮ個のシンボルとを含み、ＭおよびＮは０以上の整数であり、Ｍ＋Ｎ＜１４である、請求項２１に記載の方法。
【請求項２７】
前記第２のチャネル信号が占有するシンボルのうち、連続シンボルの隣り合う２つのグループ間の間隔は、第１のチャネル信号のシンボルの数の整数倍である、請求項２１に記載の方法。
【請求項２８】
前記第２のチャネル信号が占有するシンボルは、前記第２のチャネル信号が占有する連続するＰ個のシンボルを含み、Ｐは０＜Ｐ≦１４を満たす整数である、請求項２１に記載の方法。
【請求項２９】
前記第２のチャネル信号が占有するシンボル以外のタイムドメインリソースは、第１のチャネル信号の１つ以上のマッピングパターン、物理ダウンリンク制御チャネルのマッピングパターン、または、ガード期間および物理アップリンク制御チャネルのマッピングパターン、のうちの少なくとも１つに対応する、請求項２１に記載の方法。
【請求項３０】
前記第２のチャネル信号が占有するシンボルは、前記タイムドメインリソース割当パターンセットにおける前記タイムドメインリソース割当パターンに従って決定され、前記シンボルは、前記ダウンリンク制御情報に先行するシンボル、前記ダウンリンク制御情報のためのシンボル、または、前記ダウンリンク制御情報の後続のシンボル、のうちの少なくとも１つを含む、請求項２１に記載の方法。
【請求項３１】
前記第１のＳＣＳは第１のチャネル信号に対応するＳＣＳを意味し、前記第１のチャネル信号は同期信号物理ブロードキャストチャネルブロック（ＳＳＢ）を意味し、前記第２のＳＣＳは前記第２のチャネル信号のＳＣＳを意味し、前記第２のチャネル信号は、残余最小限システム情報（ＲＭＳＩ）を搬送する物理ダウンリンク共有チャネル（ＰＤＳＣＨ）、ページング情報を搬送するＰＤＳＣＨ、その他システム情報（ＯＳＩ）を搬送するＰＤＳＣＨ、ランダムアクセス応答情報を搬送するＰＤＳＣＨ、ランダムアクセス衝突解消情報を搬送するＰＤＳＣＨ、メッセージ２（ＭＳＧ２）を搬送するＰＤＳＣＨ、または、メッセージ４（ＭＳＧ４）を搬送するＰＤＳＣＨ、のうちの少なくとも１つを含む、請求項２１〜３０のいずれか１項に記載の方法。
【請求項３２】
前記第１のＳＣＳと第２のＳＣＳとの組み合わせは、｛１５，１５｝ｋＨｚ、｛１５，３０｝ｋＨｚ、｛３０，１５｝ｋＨｚ、｛３０，３０｝ｋＨｚ、｛１２０，６０｝ｋＨｚ、｛１２０，１２０｝ｋＨｚ、｛２４０，６０｝ｋＨｚ、または、｛２４０，１２０｝ｋＨｚ、のうちの少なくとも１つを含む、請求項２１に記載の方法。
【請求項３３】
タイムドメインリソース検出方法であって、端末が、第２のチャネル信号に対応するモニタリングウィンドウ内の１つ以上のスロットにおける前記第２のチャネル信号のダウンリンク制御情報を検出するステップを含む、方法。
【請求項３４】
前記第２のチャネル信号は、残余最小限システム情報（ＲＭＳＩ）を搬送する物理ダウンリンク共有チャネル（ＰＤＳＣＨ）、ページング情報を搬送するＰＤＳＣＨ、その他システム情報（ＯＳＩ）を搬送するＰＤＳＣＨ、ランダムアクセス応答情報を搬送するＰＤＳＣＨ、ランダムアクセス衝突解消情報を搬送するＰＤＳＣＨ、メッセージ２（ＭＳＧ２）を搬送するＰＤＳＣＨ、または、メッセージ４（ＭＳＧ４）を搬送するＰＤＳＣＨ、のうちの少なくとも１つを含む、請求項３３に記載の方法。
【請求項３５】
前記端末が前記第２のチャネル信号のダウンリンク制御情報は正しく検出するが前記第２のチャネル信号を正しく検出しない場合、前記端末が前記モニタリングウィンドウ内の他のスロットにおける前記第２のチャネル信号のダウンリンク制御情報を検出するステップをさらに含む、請求項３３に記載の方法。
【請求項３６】
前記端末が、ＲＭＳＩのダウンリンク制御情報だけでなく、前記チャネル信号に対応する前記モニタリングウィンドウ内の複数のスロットのうちの１つにおけるＲＭＳＩも正しく検出するが、ランダムアクセス応答情報を正しく検出しない場合、前記端末が、前記モニタリングウィンドウ内の複数のスロットのうちの他のスロットにおける前記ＲＭＳＩのダウンリンク制御情報を検出するステップをさらに含む、請求項３３に記載の方法。
【請求項３７】
タイムドメインリソース決定装置であって、
タイムドメインリソース割当パターンセットを決定するように構成された決定モジュールを備え、前記タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含み、
前記タイムドメインリソース割当パターンセットにおけるタイムドメインリソース割当パターンを用いることにより、前記第２のチャネル信号が占有するシンボルを示す、タイムドメインリソース決定装置。
【請求項３８】
タイムドメインリソース決定装置であって、
第１のサブキャリア間隔（ＳＣＳ）と第２のＳＣＳとの組み合わせ、ダウンリンク制御情報（ＤＣＩ）シグナリングの指示、またはスロットタイプ、のうちの少なくとも１つに従ってタイムドメインリソース割当パターンセットを決定するように構成された第１の決定モジュールと、
前記タイムドメインリソース割当パターンセットにおけるタイムドメインリソース割当パターンに従って第２のチャネル信号が占有するシンボルを決定するように構成された第２の決定モジュールとを備え、前記第２のＳＣＳは第２のチャネル信号のＳＣＳである、タイムドメインリソース決定装置。
【請求項３９】
タイムドメインリソース検出装置であって、第２のチャネル信号に対応するモニタリングウィンドウ内の１つ以上のスロットにおける前記第２のチャネル信号のダウンリンク制御情報を検出するように構成された検出モジュールを備える、タイムドメインリソース検出装置。
【請求項４０】
コンピュータプログラムを格納する記憶媒体であって、前記コンピュータプログラムは実行されると請求項１〜３６のいずれか１項に記載の方法を実施する、記憶媒体。
【請求項４１】
メモリとプロセッサとを備える電子デバイスであって、前記メモリはコンピュータプログラムを格納し、前記プロセッサは前記コンピュータプログラムを実行することにより請求項１〜３６のいずれか１項に記載の方法を実施するように構成される、電子デバイス。
【発明の詳細な説明】
【技術分野】
【０００１】
本開示は、２０１８年４月４日中国特許庁に出願された中国特許出願第２０１８１０３０１３３２．１号に基づく優先権を主張する。この出願の全内容を本開示に引用により援用する。
【０００２】
技術分野
本開示は、通信の分野に関し、具体的には、タイムドメインリソース決定および検出方法および装置、記憶媒体、ならびに電子デバイスに関する。
【背景技術】
【０００３】
背景
関連技術において、通信は、第４世代（４Ｇ）モバイル通信システムで使用される搬送周波数よりも高い２８ＧＨｚまたは４５ＧＨｚ等の搬送周波数で実施されている。この高周波チャネルには、自由伝搬損失が大きく、酸素に吸収されやすく、降雨減衰の影響が大きいという欠点があり、このことは、高周波通信システムのカバレッジ性能に深刻な影響を与える。高周波通信およびロング・ターム・エヴォリューション（long term evolution：ＬＴＥ）システムが、あるカバレッジ範囲内で同様のＳＩＮＲ（Signal to Interference plus Noise Ratio）を有することを保証するためには、高周波通信のアンテナ利得を保証することが必要である。幸いにも、高周波通信の搬送周波数の場合、波長が短いので、確実に、単位面積当たりに収容できるアンテナ素子は多くなる。アンテナ素子が多いということは、ビームフォーミング方法を用いることによりアンテナ利得を改善することで高周波通信のカバレッジ性能を保証できることを意味する。
【０００４】
ビームフォーミング方法を用いると、送信端は送信エネルギを１方向に集中させることができ、その他の方向では送信エネルギが小さいまたはない。すなわち、各ビームは、自身の指向性を有し、特定方向の端末のみをカバーすることができ、送信端すなわち基地局は、完全なカバレッジを実現するためには複数のビームを送信する必要がある。一般的に、ビームの数の範囲は数十から数百である。さまざまな方向の端末のアクセス要求を満たすためにはシステムブロードキャストメッセージの全方向カバレッジを実現する必要がある。通信局は同一のシステムブロードキャストメッセージをさまざまなビーム方向に繰り返し送信しなければならない。また、通信局ではシステムブロードキャストメッセージの「絶対オーバヘッド」が大きくなる。
【０００５】
新無線（new radio：ＮＲ）通信システムにおいて、システム情報は、最小限のシステム情報（minimum system information：最小限ＳＩ）と、その他のシステム情報（other system information：ＯＳＩ）とに分けられる。最小限システム情報はさらに、物理ブロードキャストチャネル（physical broadcast channel：ＰＢＣＨ)によって搬送されるマスタ情報ブロック（master information block：ＭＩＢ）と、物理ダウンリンク共有チャネル（physical downlink shared channel：ＰＤＳＣＨ）によって搬送される残余最小限システム情報（remaining minimum system information：ＲＭＳＩ）とに分けられる。ＲＭＳＩは、ＰＤＳＣＨによって搬送され、対応する物理ダウンリンク制御チャネル（physical downlink control channel：ＰＤＣＣＨ）によってスケジューリングされる。ＭＩＢは、セルの基本システムパラメータを提供するために使用される。残余最小限システム情報は、初期アクセス要求の送信構成および初期アクセス応答メッセージの受信構成等の、初期アクセスに関連する構成情報を提供するために使用される。ブロードキャストする必要があるその他のシステム情報を、その他システム情報と呼ぶ。ＲＭＳＩ送信は図１に示される通りである。図１は、本開示の関連技術に係るＲＭＳＩ送信の概略図である。ＲＭＳＩと同期信号物理ブロードキャストチャネルブロック（synchronization signal physical broadcast channel block：ＳＳ／ＰＢＣＨブロック、ＳＳＢ）との間の時分割多重化または周波数分割多重化は、標準規格においてサポートされている。
【０００６】
時分割多重化モードに関して、図２は、本開示の関連技術に係るＲＭＳＩの時分割多重送信の概略図である。図２に示されるように、ＲＭＳＩ送信中、ＲＭＳＩ送信は、同期信号ブロックの送信と重複する可能性があり、これら２つが同一ブロックにマッピングされる可能性もある。ＲＭＳＩ  ＰＤＳＣＨ受信に関しては、現在の標準規格において、端末がＲＭＳＩ  ＰＤＣＣＨリソース割当の指示に従ってＰＤＳＣＨを受信することが規定されている場合、ＰＤＳＣＨは、ＳＳＢ送信のリソースを含むとみなされない。これは、ＲＭＳＩ送信の優先度がＳＳＢ送信よりも高いことを意味するのではなく、基地局がＲＭＳＩソースを割り当て、ＳＳＢが占有するリソースにＲＭＳＩ  ＰＤＳＣＨをスケジューリングすることを回避する場合に、ＳＳＢが占有するリソースを基地局が考慮するには制限があることを意味する。端末は、ＲＭＳＩを受信するときにはＳＳＢの実際の送信ロケーション情報を知らないので、ＲＭＳＩリソースがＳＳＢリソースと重複する場合、端末は、ＳＳＢリソースのロケーションに従ってレートマッチングに基づくＲＭＳＩ  ＰＤＳＣＨ受信を実現することができない。
【０００７】
関連技術に係るタイムドメインリソース割当において、ＰＤＳＣＨは、スロット内の数個の連続シンボルの占有についてのみ、サポートされる。ＲＭＳＩ送信に関しては、上記詳細事項に鑑みると、ＲＭＳＩ  ＰＤＳＣＨのリソース割当は、ＳＳＢが特定スロットの中央シンボルを占有する場合は大幅に制限され、ＲＭＳＩ  ＰＤＳＣＨ送信さえもこの特定のスロットで実現できない。この関連技術におけるタイムドメインリソース割当はＲＭＳＩに適用できないことがわかる。
【０００８】
上記関連技術の問題に鑑み、有効な解決策は未だに提案されていない。
【発明の概要】
【課題を解決するための手段】
【０００９】
概要
本開示の実施形態は、タイムドメインリソース決定および検出方法および装置、記憶媒体、ならびに電子デバイスを提供する。
【００１０】
本開示のある実施形態は、タイムドメインリソース決定方法を提供する。この方法は、タイムドメインリソース割当パターンセットを決定するステップを含む。タイムドメインリソース割当パターンセットは、第１のチャネル信号のサブキャリア間隔（subcarrier spacing：ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含む。上記タイムドメインリソース割当パターンセットにおけるタイムドメインリソース割当パターンを用いることにより、上記第２のチャネル信号が占有するシンボルを示す。
【００１１】
本開示のある実施形態は、タイムドメインリソース決定方法を提供する。この方法は、第１のサブキャリア間隔（ＳＣＳ）と第２のＳＣＳとの組み合わせ、ダウンリンク制御情報（ＤＣＩ）シグナリングの指示、またはスロットタイプ、のうちの少なくとも１つに従い、タイムドメインリソース割当パターンセットを決定するステップと、上記タイムドメインリソース割当パターンセットにおけるタイムドメインリソース割当パターンに従い、第２のチャネル信号が占有するシンボルを決定するステップとを含む。第２のＳＣＳは上記第２のチャネル信号のＳＣＳを意味する。
【００１２】
本開示のある実施形態は、タイムドメインリソース検出方法を提供する。この方法は、端末が、第２のチャネル信号に対応するモニタリングウィンドウ内の１つ以上のスロット内の第２のチャネル信号のダウンリンク制御情報を検出するステップを含む。
【００１３】
本開示の別の実施形態は、タイムドメインリソース決定装置を提供する。この装置は決定モジュールを含む。決定モジュールは、タイムドメインリソース割当パターンセットを決定するように構成される。タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含む。上記タイムドメインリソース割当パターンセットにおけるタイムドメインリソース割当パターンを用いることにより、上記第２のチャネル信号が占有するシンボルを示す。
【００１４】
本開示の別の実施形態は、タイムドメインリソース決定装置を提供する。この装置は、第１の決定モジュールと第２の決定モジュールとを含む。第１の決定モジュールは、第１のサブキャリア間隔（ＳＣＳ）と第２のＳＣＳとの組み合わせ、ダウンリンク制御情報（ＤＣＩ）シグナリングの指示、またはスロットタイプ、のうちの少なくとも１つに従い、タイムドメインリソース割当パターンセットを決定するように構成される。第２の決定モジュールは、上記タイムドメインリソース割当パターンセットにおけるタイムドメインリソース割当パターンに従い、第２のチャネル信号が占有するシンボルを決定するように構成され、第２のＳＣＳは上記第２のチャネル信号のＳＣＳを意味する。
【００１５】
本開示の別の実施形態は、タイムドメインリソース検出装置を提供する。この装置は検出モジュールを含む。検出モジュールは、第２のチャネル信号に対応するモニタリングウィンドウ内の１つ以上のスロット内の第２のチャネル信号のダウンリンク制御情報を検出するように構成される。
【００１６】
本開示の別の実施形態はさらに、記憶媒体を提供する。この記憶媒体はコンピュータプログラムを格納する。上記コンピュータプログラムが実行されると上記実施形態のいずれかの方法のステップが実施される。
【００１７】
本開示の別の実施形態はさらに、電子デバイスを提供する。このデバイスはメモリとプロセッサとを備える。メモリはコンピュータプログラムを格納する。プロセッサは、上記コンピュータプログラムを実行することにより、上記実施形態のいずれかの方法のステップを実施する。
【００１８】
本開示を通じて、第２のチャネル信号はスロット内の数個の連続シンボル上で送信されることについてのみサポートされるという関連技術の課題は解決され、リソース割当の制限は回避され、リソース割当の効率および柔軟性は改善される。
【００１９】
本明細書に記載の図面は、本開示のさらなる理解を提供するため、かつ、本願の一部を形成するために、提供される。本開示において、例示される実施形態およびその記載は、本開示を何らかの不適切なやり方で制限するためではなく、本開示を説明するために使用される。
【図面の簡単な説明】
【００２０】
【図１】関連技術に係るＲＭＳＩ送信の概略図である。
【図２】本開示の関連技術に係るＲＭＳＩの時分割多重送信の概略図である。
【図３】本開示のある実施形態に係る、タイムドメインリソース決定方法のフローチャートの図である。
【図４】本開示のある実施形態に係る、タイムドメインリソース決定装置のブロック図である。
【図５】本開示のある実施形態に係る、スロットにおけるＳＳＢのマッピングパターン１の図である。
【図６】本開示のある実施形態に係る、スロットにおけるＳＳＢのマッピングパターン２の図である。
【図７】本開示のある実施形態に係る、スロットにおけるＳＳＢのマッピングパターン３の図である。
【図８】本開示のある実施形態に係る、スロットにおけるＳＳＢのマッピングパターン４の図である。
【図９】本開示のある実施形態に係る、スロットにおけるＳＳＢのマッピングパターン５の図である。
【発明を実施するための形態】
【００２１】
詳細な説明
以下、本開示について、実施形態とともに図面を参照しながら詳細に説明する。なお、本開示における実施形態およびその特徴は、対立しない限り相互に組み合わせることが可能である。
【００２２】
なお、本開示における説明、請求項、および図面の「第１」、「第２」等の用語は、同様の対象物を区別するために使用されているのであって、特定の順序またはシーケンスを記述するために使用されているのではない。
【００２３】
実施形態１
本実施形態は、タイムドメインリソース決定方法を提供する。図３は、本開示のある実施形態に係る、タイムドメインリソース決定方法のフローチャートである。図３に示されるように、この方法は、送信端における下記ステップを含む。
【００２４】
ステップＳ３０２において、タイムドメインリソース割当パターンセットを決定する。タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含む。上記タイムドメインリソース割当パターンセットにおけるタイムドメインリソース割当パターンを用いることにより、上記第２のチャネル信号が占有するシンボルを示す。
【００２５】
本実施形態において、別のタイムドメインリソース決定方法が提供される。図３に示されるように、この方法は、受信端における下記ステップをさらに含む。
【００２６】
ステップＳ４０２において、第１のサブキャリア間隔（ＳＣＳ）と第２のＳＣＳとの組み合わせ、ダウンリンク制御情報（ＤＣＩ）シグナリングの指示、またはスロットタイプ、のうちの少なくとも１つに従い、タイムドメインリソース割当パターンセットを決定する。
【００２７】
ステップＳ４０４において、上記タイムドメインリソース割当パターンセットにおけるタイムドメインリソース割当パターンに従い、第２のチャネル信号が占有するシンボルを決定する。
【００２８】
上記ステップを通じて、スロットに第２のチャネル信号のタイムドメインリソースが割り当てられるので、第１のチャネル信号および第２のチャネル信号を、第２のＳＣＳに対応するスロットで送信することができる。したがって、第２のチャネル信号はスロット内の数個の連続シンボル上で送信されることについてのみサポートされるという関連技術の技術的課題は解決され、リソース割当の制限は回避され、リソース割当の効率および柔軟性は改善される。
【００２９】
任意で、上記ステップの実行主体は次の通りである。送信端は、基地局またはサーバ等の、ネットワーク側のネットワーク素子であってもよく、受信端は、限定されないが端末であってもよい。
【００３０】
任意で、上記第１のＳＣＳと第２のＳＣＳとの組み合わせに対応するタイムドメインリソース割当パターンセットを決定するステップは、上記タイムドメインリソース割当パターンセットと、上記第１のＳＣＳと第２のＳＣＳとの組み合わせとの間の対応関係を定めるステップと、上記対応関係に従い、第１のＳＣＳと第２のＳＣＳとの組み合わせが使用するタイムドメインリソース割当パターンセットを決定するステップとを含む。
【００３１】
任意で、タイムドメインリソース割当パターンセットがＤＣＩシグナリングによって指示される場合、タイムドメインリソース割当パターンセットは、連続タイムドメインリソース割当パターンのセット、不連続タイムドメインリソース割当パターンのセット、スロットが第１のチャネル信号を含む場合のタイムドメインリソース割当パターンセット、または、スロットが第１のチャネル信号を含まない場合のタイムドメインリソース割当パターンセット、のうちの少なくとも１つを含む。
【００３２】
任意で、スロットタイプは、第１のチャネル信号の送信リソースを含むスロットと、第１のチャネル信号の送信リソースを含まないスロットとを含む。
【００３３】
任意で、上記方法は、ＤＣＩシグナリングにより、上記タイムドメインリソース割当パターンセットにおける上記タイムドメインリソース割当パターンを指示するステップをさらに含む。
【００３４】
任意で、上記第２のチャネル信号が占有するシンボルは、第１のチャネル信号が占有するタイムドメインリソースの、先行するＭ個のシンボルと、後続のＮ個のシンボルとを含む。ＭおよびＮは０以上の整数であり、Ｍ＋Ｎ＜１４である。中央の（１４−Ｍ＋Ｎ）個のシンボルは、第１のチャネル信号が占有するタイムドメインリソースのシンボルである。
【００３５】
任意で、第２のチャネル信号が占有するシンボルのうち、連続シンボルの隣り合う２つのグループ間の間隔は、第１のチャネル信号のシンボルの数の整数倍である。
【００３６】
任意で、第２のチャネル信号が占有するシンボルは、連続するＰ個のシンボルを含む。Ｐは、０＜Ｐ≦１４を満たす整数である。
【００３７】
任意で、第２のチャネル信号が占有するシンボル以外のタイムドメインリソースは、第１のチャネル信号の１つ以上のマッピングパターン、物理ダウンリンク制御チャネルのマッピングパターン、または、ガード期間および物理アップリンク制御チャネルのマッピングパターン、のうちの少なくとも１つに対応する。
【００３８】
任意で、第２のチャネル信号が占有するシンボルは、ダウンリンク制御情報に先行するシンボル、ダウンリンク制御情報のためのシンボル、または、ダウンリンク制御情報の後続のシンボル、のうちの少なくとも１つを含む。
【００３９】
任意で、第１のチャネル信号は、同期信号物理ブロードキャストチャネルブロック（ＳＳＢ）であり、第２のチャネル信号は、残余最小限システム情報（ＲＭＳＩ）を搬送する物理ダウンリンク共有チャネル（ＰＤＳＣＨ）、ページング情報を搬送するＰＤＳＣＨ、その他システム情報（ＯＳＩ）を搬送するＰＤＳＣＨ、ランダムアクセス応答情報を搬送するＰＤＳＣＨ、ランダムアクセス衝突解消（collision resolution）情報を搬送するＰＤＳＣＨ、メッセージ２（ＭＳＧ２）を搬送するＰＤＳＣＨ、または、メッセージ４（ＭＳＧ４）を搬送するＰＤＳＣＨ、のうちの少なくとも１つを含む。
【００４０】
本実施形態において、第１のＳＣＳと第２のＳＣＳとの組み合わせは、｛１５，１５｝ｋＨｚ、｛１５，３０｝ｋＨｚ、｛３０，１５｝ｋＨｚ、｛３０，３０｝ｋＨｚ、｛１２０，６０｝ｋＨｚ、｛１２０，１２０｝ｋＨｚ、｛２４０，６０｝ｋＨｚ、または、｛２４０，１２０｝ｋＨｚ、のうちの少なくとも１つを含む。
【００４１】
各種組み合わせのシナリオについての例を以下で述べる。
第１のＳＣＳと第２のＳＣＳとの組み合わせが｛１５，１５｝ｋＨｚである場合、タイムドメインリソース割当パターンセットは、以下のタイムドメインリソース割当パターン、すなわち、シンボル０，１，４，５，６および７；シンボル０，１，４，５，６，７，１２および１３；シンボル０，１，２，６，７，１２および１３；シンボル０，１，２，６および７；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル３，４，５，６，７，１２および１３；シンボル４および５；シンボル４〜７；シンボル４〜８；シンボル４〜１０；シンボル４〜１１；シンボル４〜１３；シンボル６〜９；シンボル６〜１２；シンボル６〜１３；シンボル６および７；シンボル６，７，１２および１３；シンボル８〜１３；シンボル９〜１３；シンボル１０〜１３；または、シンボル１２および１３、のうちの１つ以上を含む。
【００４２】
第１のＳＣＳと第２のＳＣＳとの組み合わせが｛１５，３０｝ｋＨｚである場合、タイムドメインリソース割当パターンセットは、以下のタイムドメインリソース割当パターン、すなわち、シンボル２〜１３；シンボル２〜１１；シンボル２〜１０；シンボル２〜９；シンボル２〜７；シンボル２〜６；シンボル２〜５；シンボル２，３，１２および１３；シンボル２および３；シンボル３〜１３；シンボル３〜１１；シンボル３〜１０；シンボル３〜９；シンボル３〜８；シンボル３〜７；シンボル３〜６；シンボル３，１２および１３；シンボル４〜７；シンボル４〜１０；シンボル４〜１１；シンボル４〜１３；シンボル６〜９；シンボル６〜１２；シンボル６〜１３；シンボル８〜１３；シンボル９〜１３；シンボル１０〜１３；または、シンボル１２および１３、のうちの１つ以上を含む。
【００４３】
第１のＳＣＳと第２のＳＣＳとの組み合わせが｛３０，１５｝ｋＨｚである場合、タイムドメインリソース割当パターンセットは、以下のタイムドメインリソース割当パターン、すなわち、シンボル０，１，２，６および７；シンボル０，１，２，６，７，１０，１１，１２および１３；シンボル０，１，２，６，７，８，９および１０；シンボル０，１，２，６，７，８，９，１０および１３；シンボル０，１，６および７；シンボル０，１，６，７，１０，１１，１２および１３；シンボル０，１，４，５，６，７，８および９；シンボル０，１，４，５，６，７，８，９，１２および１３；シンボル０，１，１０，１１，１２および１３；シンボル０，１，４，５，６，７，８，９および１０；シンボル０，１，４，５，６，７，８，９，１０および１３；シンボル０，１，４，５，６，７，１０，１１，１２および１３；シンボル０，１，４，５，６および７；シンボル０，１，６，７，８，９，１０，１１，１２および１３；シンボル０，１，６，７，８，９，１０および１１；シンボル２〜１３；シンボル２〜１１；シンボル２〜１０；シンボル２，３，４，５，６，７，８，９，１０および１３；シンボル２，３，４，５，６，７，８，９，１２および１３；シンボル２〜９；シンボル２〜７；シンボル２〜６；シンボル２〜５；シンボル２，３，６，７，１０，１１，１２および１３；シンボル２，３，６および７；シンボル２および３；シンボル３〜１３；シンボル３〜１１；シンボル３〜１０；シンボル３，４，５，６，７，８，９，１０および１３；シンボル３〜９；シンボル３，４，５，６，７，８，９，１２および１３；シンボル３〜８；シンボル３〜７；シンボル３〜６；シンボル４〜７；シンボル４〜８；シンボル４〜１０；シンボル４，５，６，７，８，９，１０および１３；シンボル４〜１１；シンボル４〜１３；シンボル６〜９；シンボル６〜１２；シンボル６〜１３；シンボル６，７，８，９，１０および１３；シンボル６，７および８；シンボル６および７；シンボル６，７および１０；シンボル６，７，１０および１１；シンボル７〜１０；シンボル７，８，９，１０および１３；シンボル７，８，９，１２および１３；シンボル７，１０，１１，１２および１３；シンボル８〜１３；シンボル８および９；シンボル９〜１３，シンボル９，１０および１３；シンボル９，１２および１３；シンボル１０〜１３；シンボル１１〜１３；または、シンボル１２および１３、のうちの１つ以上を含む。
【００４４】
第１のＳＣＳと第２のＳＣＳとの組み合わせが｛３０，３０｝ｋＨｚである場合、タイムドメインリソース割当パターンセットは、以下のタイムドメインリソース割当パターン、すなわち、シンボル０，１，１２および１３；シンボル０，１，８，９，１０および１１；シンボル０，１，８，９，１０，１１，１２および１３；シンボル０，１，４，５，６，７，１２および１３；シンボル０，１，４，５，６および７；シンボル０，１，４および５；シンボル０，１，４，５，１０，１１，１２および１３；シンボル２，３，１２および１３；シンボル２，３，８および９；シンボル２，３，８，９，１０，１１および１２；シンボル２，３，８，９，１０，１１，１２および１３；シンボル２〜１３；シンボル２〜１１；シンボル２〜１０；シンボル２〜９；シンボル２〜７；シンボル２，３，４，５，６，７，１２および１３；シンボル２〜６；シンボル２〜５；シンボル２，３，４，５，１０，１１，１２および１３；シンボル３〜１３；シンボル３〜１１；シンボル３〜１０；シンボル３〜９；シンボル３〜８；シンボル３〜７；シンボル３，４，５，６，７，１２および１３；シンボル３〜６；シンボル３，１２および１３；シンボル４〜６；シンボル４〜７；シンボル４〜８；シンボル４〜１０；シンボル４〜１１；シンボル４〜１３；シンボル４，５，６，７，１２および１３；シンボル４，５および１０；シンボル４，５，１０，１１，１２および１３；シンボル６および７；シンボル６〜９；シンボル６〜１２；シンボル６〜１３；シンボル６，７，１２および１３；シンボル７，１２および１３；シンボル８〜１３；シンボル８〜１１；シンボル９〜１３；シンボル１０〜１３；シンボル１０および１１；シンボル１１，１２および１３；シンボル１２および１３；シンボル１２；または、シンボル１３、のうちの１つ以上を含む。
【００４５】
第１のＳＣＳと第２のＳＣＳとの組み合わせが｛１２０，６０｝ｋＨｚである場合、タイムドメインリソース割当パターンセットは、以下のタイムドメインリソース割当パターン、すなわち、シンボル０〜６；シンボル０〜３；シンボル０，１，２，３および６；シンボル０，１，２，３，６，８および９；シンボル０，１，２，３，６，８，９，１０および１１；シンボル０，１，２，３，６，８，９，１０，１１，１２および１３；シンボル０，１，２，３，６，９，１０，１１，１２および１３；シンボル０，１，２，３，６，９および１０；シンボル０，１，２，３，６，１０，１１，１２および１３；シンボル０，１，２，３，６，１０および１１；シンボル０，１，４，５および６；シンボル０，１，４，５，６，８および９；シンボル０，１，４，５，６，９および１０；シンボル０，１，４，５，６，９，１０，１１，１２および１３；シンボル０，１，４，５，６，８，９，１０および１１；シンボル０，１，４，５，６，８，９，１０，１１，１２および１３；シンボル１，４，５および６；シンボル１，２，３および６；シンボル１，２，３，６および８；シンボル２，３，６および９；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル３，６および１０；シンボル４，５，６および９；シンボル４〜７；シンボル４〜８；シンボル４〜１０；シンボル４〜１１；シンボル４〜１３；シンボル５，６，１２および１３；シンボル６〜９；シンボル６〜１２；シンボル６〜１３；シンボル６，１２および１３；シンボル６，９，１２および１３；シンボル８，９，１２および１３；シンボル８〜１３；シンボル９〜１３；シンボル９〜１２；シンボル９，１２および１３；シンボル１０〜１３；または、シンボル１２および１３、のうちの１つ以上を含む。
【００４６】
第１のＳＣＳと第２のＳＣＳとの組み合わせが｛１２０，１２０｝ｋＨｚである場合、タイムドメインリソース割当パターンセットは、以下のタイムドメインリソース割当パターン、すなわち、シンボル１および６；シンボル１，６，８および９；シンボル１〜４；シンボル１〜６；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル４〜７；シンボル４〜８；シンボル４〜１０；シンボル４〜１１；シンボル４〜１３；シンボル６〜９；シンボル６〜１２；シンボル６〜１３；シンボル８〜１３；シンボル８〜１１；シンボル９〜１３；シンボル１０〜１３；または、シンボル１２および１３、のうちの１つ以上を含む。
【００４７】
第１のＳＣＳと第２のＳＣＳとの組み合わせが｛２４０，６０｝ｋＨｚである場合、タイムドメインリソース割当パターンセットは、以下のタイムドメインリソース割当パターン、すなわち、シンボル１，６，８および９；シンボル１〜４；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル４〜７；シンボル４〜８；シンボル４〜１０；シンボル４〜１１；シンボル４〜１３；シンボル５，６，１２および１３；シンボル６〜９；シンボル６〜１２；シンボル６〜１３；シンボル６，７，１２および１３；シンボル８〜１３；シンボル８〜１１；シンボル９〜１３；シンボル９〜１２；シンボル１０〜１３；または、シンボル１２および１３、のうちの１つ以上を含む。
【００４８】
第１のＳＣＳと第２のＳＣＳとの組み合わせが｛２４０，１２０｝ｋＨｚである場合、タイムドメインリソース割当パターンセットは、以下のタイムドメインリソース割当パターン、すなわち、シンボル１，４，５および６；シンボル１，２，３および６；シンボル１〜６；シンボル２，３，６および９；シンボル２〜１３；シンボル２〜１１；シンボル２〜１０；シンボル２〜９；シンボル２〜７；シンボル２〜６；シンボル２〜５；シンボル３〜１３；シンボル３〜１１；シンボル３〜１０；シンボル３〜９；シンボル３〜８；シンボル３〜７；シンボル３〜６；シンボル４，５，８および９；シンボル４，５，６および９；シンボル４〜７；シンボル４〜８；シンボル４〜１０；シンボル４〜１１；シンボル４〜１３；シンボル５〜１３；シンボル６〜９；シンボル６〜１２；シンボル６〜１３；シンボル６および７；シンボル６，７，１２および１３；シンボル６，９，１２および１３；シンボル８〜１３；シンボル８，９，１２および１３；シンボル８〜１１；シンボル９〜１３；シンボル９〜１２；シンボル１０〜１３；または、シンボル１２および１３、のうちの１つ以上を含む。
【００４９】
本実施形態において、第１のサブキャリア間隔（ＳＣＳ）は、第１のチャネル信号に対応するＳＣＳを意味し、第１のチャネル信号は、同期信号物理ブロードキャストチャネルブロック（ＳＳＢ）を意味し、第２のＳＣＳは、第２のチャネル信号に対応するＳＣＳを意味し、第２のチャネル信号は、残余最小限システム情報（ＲＭＳＩ）を搬送する物理ダウンリンク共有チャネル（ＰＤＳＣＨ）、ページング情報を搬送するＰＤＳＣＨ、その他システム情報（ＯＳＩ）を搬送するＰＤＳＣＨ、ランダムアクセス応答情報を搬送するＰＤＳＣＨ、ランダムアクセス衝突解消情報を搬送するＰＤＳＣＨ、メッセージ２（ＭＳＧ２）を搬送するＰＤＳＣＨ、または、メッセージ４（ＭＳＧ４）を搬送するＰＤＳＣＨ、のうちの少なくとも１つを含む。
【００５０】
別の局面において、本開示は、タイムドメインリソース検出方法をさらに提供する。この方法は、端末が、第２のチャネル信号に対応するモニタリングウィンドウ内の１つ以上のスロット内の第２のチャネル信号のダウンリンク制御情報を検出することを含む。
【００５１】
任意で、第２のチャネル信号は、残余最小限システム情報（ＲＭＳＩ）を搬送する物理ダウンリンク共有チャネル（ＰＤＳＣＨ）、ページング情報を搬送するＰＤＳＣＨ、その他システム情報（ＯＳＩ）を搬送するＰＤＳＣＨ、ランダムアクセス応答情報を搬送するＰＤＳＣＨ、ランダムアクセス衝突解消情報を搬送するＰＤＳＣＨ、メッセージ２（ＭＳＧ２）を搬送するＰＤＳＣＨ、または、メッセージ４（ＭＳＧ４）を搬送するＰＤＳＣＨ、のうちの少なくとも１つを含む。
【００５２】
任意で、端末が第２のチャネル信号のダウンリンク制御情報は正しく検出するが第２のチャネル信号を正しく検出しない場合、端末は、モニタリングウィンドウ内の複数のスロットのうちの他のスロットにおけるチャネル信号のダウンリンク制御情報を検出する。
【００５３】
任意で、端末が、ＲＭＳＩのダウンリンク制御情報だけでなくＲＭＳＩも正しく検出するが、ランダムアクセス応答情報を正しく検出しない場合、端末は、モニタリングウィンドウ内の複数のスロットのうちの他のスロットにおけるＲＭＳＩのダウンリンク制御情報を検出する。
【００５４】
上記実施形態の説明から、上記実施形態の方法が、ソフトウェアと必要な汎用ハードウェアプラットフォームとによって実現し得る、または、当然ながらハードウェアによって実現し得ることは、当業者には明らかである。しかしながら、多くの場合、前者が好ましい実装例である。このような理解に基づくと、本開示が提供する解決策は実質的に、または、関連技術に寄与する部分は、ソフトウェア製品の形態で実施し得るものである。コンピュータソフトウェア製品は、記憶媒体（ＲＯＭ／ＲＡＭ、磁気ディスクまたは光ディスクなど）に格納される。記憶媒体は、本開示の各種実施形態に記載の方法を端末デバイス（携帯電話、コンピュータ、サーバまたはネットワークデバイスであってもよい）が実行できるようにするいくつかの命令を含む。
【００５５】
実施形態２
本実施形態において、タイムドメインリソース決定装置および検出装置をさらに提供する。これらの装置は、上記実施形態および好ましい実装例を実現するように構成される。先に述べたことは繰り返さない。以下で使用する用語「モジュール」は、予め定められた機能を実現することが可能な、ソフトウェア、ハードウェア、またはその組み合わせであってもよい。実施形態の下記装置は、ソフトウェアによって実現されてもよいが、ハードウェアによるまたはソフトウェアとハードウェアの組み合わせによる実現も可能であり想定されている。
【００５６】
本実施形態は、ドメインリソース決定装置を提供する。図４は、本開示のある実施形態に係る、タイムドメインリソース決定装置のブロック図である。この装置は決定モジュール４０を含む。決定モジュール４０は、タイムドメインリソース割当パターンセットを決定するように構成されている。タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含む。上記タイムドメインリソース割当パターンセットにおけるタイムドメインリソース割当パターンを用いることにより、上記第２のチャネル信号が占有するシンボルを示す。
【００５７】
本実施形態は、もう１つのタイムドメインリソース決定装置を提供する。この装置は、第１の決定モジュールと第２の決定モジュールとを含む。第１の決定モジュールは、以下のモード、すなわち、第１のサブキャリア間隔（ＳＣＳ）と第２のＳＣＳとの組み合わせに従ってタイムドメインリソース割当パターンセットを決定するモード、ダウンリンク制御情報（ＤＣＩ）シグナリングの指示に従ってタイムドメインリソース割当パターンセットを決定するモード、または、スロットタイプに従ってタイムドメインリソース割当パターンセットを決定するモード、のうちの少なくとも１つに従い、タイムドメインリソース割当パターンセットを決定するように構成される。第２の決定モジュールは、上記タイムドメインリソース割当パターンセットにおけるタイムドメインリソース割当パターンに従い、第２のチャネル信号が占有するシンボルを決定するように構成される。
【００５８】
本実施形態は、タイムドメインリソース検出装置をさらに提供する。この装置は検出モジュールを含む。検出モジュールは、第２のチャネル信号に対応するモニタリングウィンドウ内の１つ以上のスロット内の第２のチャネル信号のダウンリンク制御情報を検出するように構成される。
【００５９】
ある実施形態において、上記各種モジュールは、ソフトウェアまたはハードウェアによって実現することができる。ハードウェアによる実現は、以下の態様、すなわち、上記複数のモジュールが同一プロセッサ内に配置される態様、または、上記各種モジュールがそれぞれのプロセッサ内に任意の組み合わせで配置される態様で、実施することができるが、必ずしもそうでなくてもよい。
【００６０】
実施形態３
この実施形態の構想において、第１のチャネル信号は、同期信号物理ブロードキャストチャネルブロック（ＳＳ／ＰＢＣＨブロック、ＳＳＢ）である。スロットにおけるＳＳＢのマッピングパターンは、サブキャリア間隔の違いに応じて異なり得る。マッピングパターンは下記のケースを含む。
【００６１】
ケースＡ
図５に示されるように、図５は、本開示のある実施形態に係る、スロットにおけるＳＳＢのマッピングパターン１である。図５に示されるＳＳＢマッピングパターンは、サブキャリア間隔１５ｋＨｚのＳＳＢマッピングパターンに対応する。図５は、各種ＳＳＢの送信リソースを示す。１５ｋＨｚスロット（すなわち、シンボル０〜シンボル１３である１５ｋＨｚの１４個のシンボル）は、２つのＳＳＢを含む。２つのＳＳＢの各々は、１５ｋＨｚの４つのシンボルを占有する。２つのＳＳＢはそれぞれシンボル２〜シンボル５およびシンボル８〜シンボル１１にマッピングされる。
【００６２】
ケースＢ
図６に示されるように、図６は、本開示のある実施形態に係る、スロットにおけるＳＳＢのマッピングパターン２である。図６に示されるＳＳＢマッピングパターンは、サブキャリア間隔３０ｋＨｚのＳＳＢマッピングパターンに対応する。図６は、各種ＳＳＢの送信リソースを示す。２つの３０ｋＨｚスロット（すなわち、シンボル０〜シンボル１３の２つのグループである３０ｋＨｚの２８個のシンボル）は、４つのＳＳＢを含む。４つのＳＳＢの各々は、３０ｋＨｚの４つのシンボルを占有する。４つのＳＳＢは、それぞれ、第１のスロットのシンボル４〜シンボル７、第１のスロットのシンボル８〜シンボル１１、第２のスロットのシンボル２〜シンボル５、および第２のスロットのシンボル６〜シンボル９にマッピングされる。
【００６３】
ケースＣ
図７に示されるように、図７は、ある実施形態に係る、スロットにおけるＳＳＢのマッピングパターン３である。図７に示されるＳＳＢマッピングパターンは、サブキャリア間隔３０ｋＨｚのＳＳＢマッピングパターンに対応する。図７は、各種ＳＳＢの送信リソースを示す。２つの３０ｋＨｚスロット（すなわち、シンボル０〜シンボル１３の２つのグループである３０ｋＨｚの２８個のシンボル）は、４つのＳＳＢを含む。４つのＳＳＢの各々は、３０ｋＨｚの４つのシンボルを占有する。４つのＳＳＢは、それぞれ、第１のスロットのシンボル２〜シンボル５、第１のスロットのシンボル８〜シンボル１１、第２のスロットのシンボル２〜シンボル５、および第２のスロットのシンボル８〜シンボル１１にマッピングされる。
【００６４】
ケースＤ
図８に示されるように、図８は、本開示のある実施形態に係る、スロットにおけるＳＳＢのマッピングパターン４である。図８に示されるＳＳＢマッピングパターンは、サブキャリア間隔１２０ｋＨｚのＳＳＢマッピングパターンに対応する。図８は、各種ＳＳＢの送信リソースを示す。２つの１２０ｋＨｚスロット（すなわち、シンボル０〜シンボル１３の２つのグループである１２０ｋＨｚの２８個のシンボル）は、４つのＳＳＢを含む。４つのＳＳＢの各々は、１２０ｋＨｚの４つのシンボルを占有する。４つのＳＳＢは、それぞれ、第１のスロットのシンボル４〜シンボル７、第１のスロットのシンボル８〜シンボル１１、第２のスロットのシンボル２〜シンボル５、および第２のスロットのシンボル６〜シンボル９にマッピングされる。
【００６５】
ケースＥ
図９に示されるように、図９は、本開示のある実施形態に係る、スロットにおけるＳＳＢのマッピングパターン５である。図９に示されるＳＳＢマッピングパターンは、サブキャリア間隔２４０ｋＨｚのＳＳＢマッピングパターンに対応する。図９は、各種ＳＳＢの送信リソースを示す。２つの１２０ｋＨｚスロット（すなわち、シンボル０〜シンボル５５である２４０ｋＨｚの５６個のシンボル）は、８つのＳＳＢを含む。８つのＳＳＢの各々は、上記期間（５６個のシンボル）内の番号付けられたシンボルである２４０ｋＨｚの４つのシンボルを占有する。８つのＳＳＢは、それぞれ、シンボル８〜シンボル１１、シンボル１２〜シンボル１５、シンボル１６〜シンボル１９、シンボル２０〜シンボル２３、シンボル３２〜シンボル３５、シンボル３６〜シンボル３９、シンボル４０〜シンボル４３、およびシンボル４４〜シンボル４７に、マッピングされる。
【００６６】
先の説明は、ＳＳＢが、ＳＳＢと同一のサブキャリア間隔を有するスロットにマッピングされるときの、シンボル占有のケースを示している。ＳＳＢが、ＳＳＢと異なるサブキャリア間隔を有するスロットにマッピングされる場合、ＳＳＢが占有する絶対時間位置は変わらないが、占有されるシンボルのインデックスは、ターゲットサブキャリア間隔のシンボルのインデックスに変換されてもよい。
【００６７】
たとえば、表１に示されるように、１５ｋＨｚのＳＳＢが３０ｋＨｚのスロットにマッピングされる場合、２つのＳＳＢを含む２つの３０ｋＨｚスロットがあり、これら２つのＳＳＢは、第１の３０ｋＨｚスロットのシンボル４〜シンボル１１と、第２の３０ｋＨｚスロットのシンボル２〜シンボル９とを占有する。
【００６８】
【表１】
2021520721.tif 000003
【００６９】
ＲＭＳＩの受信の場合、特定のサブキャリア間隔を有するＳＳＢは、ＲＭＳＩのサブキャリア間隔に対応するスロットにマッピングされると考えることができる。以下の実施形態ではタイムドメイン割当場所を、ＳＳＢとＲＭＳＩサブキャリア間隔とのさまざまな組み合わせについて説明する。
【００７０】
パターン１は、ＳＳＢとＲＭＳＩとの間の時分割多重化のためのものである。表２に示される、パターン１の場合の、ＲＭＳＩサーチ空間シンボルの数および位置について以下で説明する。ＲＭＳＩサーチ空間は、ＲＭＳＩ  ＰＤＣＣＨを搬送するために使用される。グレーのＤｃは、スロット内の第２のサーチ空間位置を表す。注：スロット内の第２のサーチ空間でＰＤＣＣＨのみを送信することも可能である（すなわち、構成１３〜１９に対応）。
【００７１】
【表２】
2021520721.tif 000004
【００７２】
本実施形態は、タイムドメインリソース割当方法およびシステムを提供する。この方法は、不連続のＰＤＳＣＨタイムドメインリソースを割り当てることと、異なるサブキャリア間隔の組み合わせについてＲＭＳＩタイムドメインリソース割当リストを定めることと、スロットＳＳＢのマッピング位置に鑑みてタイムドメインリソース割当を定めることと、同一スロットにおいて先行するシンボルに位置するＰＤＳＣＨをスケジューリングするためにＰＤＣＣＨをサポートすることとを含む。
【００７３】
この実施形態は、ＳＣＳのさまざまな組み合わせにおいて本実施形態の構想を説明するための、実装解決策をさらに含む。
【００７４】
実装例１：ＳＣＳ｛ＳＳＢ，ＲＭＳＩ｝＝｛１５，１５｝ｋＨｚ
サブキャリア間隔（ＳＣＳ）の組み合わせが｛ＳＳＢ，ＲＭＳＩ｝＝（１５，１５｝ｋＨｚの場合について、表３は、スロットにおけるＳＳＢのマッピング位置、および、ＲＭＳＩサーチ空間の可能な位置を示す。これに基づいて、表３は、ＳＳＢの一部またはすべてがある場合のＲＭＳＩ  ＰＤＳＣＨのタイムドメイン割当パターンをさらに示す。
【００７５】
【表３】
2021520721.tif 000005
【００７６】
表４に示されるように、Ｄｃは、スロットにおいてＲＭＳＩサーチ空間が位置するシンボルを表す。サーチ空間位置１、２、４または１０に鑑みると、サーチ空間位置１、２、４および１０は１つのクラスとみなされる。なぜなら、サーチ空間位置１、２、４または１０のシンボル位置は、第２のシンボルを超えないからである。サーチ空間位置３、５または６に鑑みると、サーチ空間位置３、５および６は１つのクラスとみなされる。なぜなら、サーチ空間位置３、５および６の最後のシンボルが第３のシンボルだからである。あるスロットが２つのサーチ空間を含む場合、第２のサーチ空間をグレーで表す。表のＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【００７７】
【表４】
2021520721.tif 000006
【００７８】
表５は、ＲＭＳＩが位置するスロットがＳＳＢを含まない場合の、可能なタイムドメインリソース割当パターンを示す。
【００７９】
【表５】
2021520721.tif 000007
【００８０】
表４および表５においてＤｃシンボルおよびＳＳＢシンボルのラベルを隠し表４および表５のＰＤＳＣＨシンボルのラベル（すなわちＤｄ）のみを残した場合、表４および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表６に示されるタイムドメインリソース割当パターンセットが得られる。すなわち、表６は、ＳＣＳの組み合わせが｛ＳＳＢ，ＲＭＳＩ｝＝｛１５，１５｝ｋＨｚである場合の可能なタイムドメインリソース割当パターンのセットを示す。合計３４セットである。これらの３４セットからいくつかのセットを選択してもよく、タイムドメイン割当をＲＭＳＩ  ＰＤＣＣＨの対応する数のビットで示してもよい。たとえば、３４のタイムドメインリソース割当パターンセットから３２セットを選択してＲＭＳＩのデフォルトタイムドメインリソース割当パターンセットとして機能させてもよく、したがって、ＰＤＳＣＨの現在使用されているタイムドメインリソース割当パターンは、端末に対し、５ビットで示される。別の例として、標準規格において、３４のタイムドメインリソース割当パターンセットから１５セットが選択されＲＭＳＩのデフォルトタイムドメインリソース割当パターンセットであると定義され、したがって、ＰＤＳＣＨの現在使用されているタイムドメインリソース割当パターンは、端末に対し、１つがリザーブ状態である４ビットで示される。
【００８１】
【表６】
2021520721.tif 000008
【００８２】
本実施形態に係るタイムドメインリソース割当パターンの指示について、特定の第１のＳＣＳ（ＳＳＢに対応）および第２のＳＣＳ（ＲＭＳＩ、ＯＳＩ、ページング、ｍｓｇ２またはｍｓｇ４のうちの少なくとも１つに対応）の組み合わせに鑑み、スロットがＳＳＢを含むタイムドメインリソース割当パターン（表４）およびスロットがＳＳＢを含まないタイムドメインリソース割当パターン（表５）を組み合わせて１つのタイムドメインリソース割当パターンセットにする。現在使用されている、このセットにおけるタイムドメインリソース割当パターンは、端末に対し、ダウンリンク制御情報（ＤＣＩ）シグナリングによって指示される。第１のＳＣＳおよび第２のＳＣＳのさまざまな組み合わせは、第２の信号チャネルの同一のまたは異なるタイムドメインリソース割当パターンセットに対応し得る。
【００８３】
その他いくつかの実装例において、複数のタイムドメインリソース割当パターンセットを、第１のＳＣＳと第２のＳＣＳとの組み合わせに対して定めてもよい（１つの第１のＳＣＳと１つの第２のＳＣＳとの組み合わせが複数のタイムドメインリソース割当パターンセットに対応すること、または、第１のＳＣＳと第２のＳＣＳとの複数の組み合わせが複数のタイムドメインリソース割当パターンセットに対応することを含む）。先ず、使用されたタイムドメインリソース割当パターンセットを、端末に対し、ＤＣＩシグナリングによって指示する。次に、指定されたセットにおける、現在使用されているタイムドメインリソース割当パターンをさらに端末に対してＤＣＩシグナリングによって指示する。たとえば、２つのタイムドメインリソース割当パターンセットが定められている場合、一方は、スロットがＳＳＢを含む場合（表４）のタイムドメインリソース割当パターンに対応し、他方は、スロットがＳＳＢを含まない場合（表５）のタイムドメインリソース割当パターンに対応する。現在使用されているタイムドメインリソース割当パターンセットは、端末に対し、ダウンリンク制御情報（ＤＣＩ）の１ビットで指示され、指示されたタイムドメインリソース割当パターンセットにおける現在使用されているタイムドメインリソース割当パターンも指示される。この場合、端末は、得られた第１のＳＣＳ（周波数帯に対応していてもよく、端末は、第１の信号チャネルが属する現在の周波数帯に従って第１のＳＣＳを決定してもよく、これに代わるものとして、端末は、第１のチャネル信号をブラインド検出することによって第１のＳＣＳを決定する、すなわち、端末は異なるＳＣＳを用いることにより第１の信号チャネルを検出し検出が成功か否かに応じて第１のＳＣＳの値を求める）および得られた第２のＳＣＳ（基地局から通知されるＳＣＳであってもよく、たとえば、第２のＳＣＳは物理ブロードキャストチャネルで通知され、代わりに、第２のＳＣＳは予め定められていてもよく、または、周波数帯に対応していてもよい）に従い、少なくとも１つのタイムドメインリソース割当パターンセットを決定し、ＤＣＩの指示に従ってタイムドメインリソース割当パターンセットおよび具体的なタイムドメインリソース割当パターンを決定する。
【００８４】
スロットがＳＳＢを含まない場合のタイムドメイン割当パターンについて、これを、タイムドメインリソース割当の既存の指示方法によって指示することも可能である。すなわち、現在使用されているタイムドメインリソース割当を、パラメータ「スタートおよび長さインジケータ（start and length indicator：ＳＬＩＶ）によって指示する。各ＳＬＩＶインデックスは、割り当てられたシンボルのスタートシンボルおよび割り当てられたシンボルの数を固有に示すことができるシンボル割り当て方式に対応する。スロットがＳＳＢを含む場合のタイムドメインリソース割当パターンについて、現在使用されているタイムドメインリソース割当を、ＤＣＩシグナリングとともに、タイムドメインリソース割当パターンを表に列挙することによって示してもよい。
【００８５】
その他いくつかの実装例において、現在使用されているタイムドメインリソース割当パターンセットを、ダウンリンク制御情報の情報ビットによってではなく、スロットタイプとタイムドメインリソース割当パターンセットとの対応関係を定めることによって指示してもよい。たとえば、スロットは、以下の２つのクラスに、すなわち、第１のチャネル信号（ＳＳＢ）の送信リソースを含むスロットと、第１のチャネル信号（ＳＳＢ）の送信リソースを含まないスロットとに、分けられる。この場合、第１のチャネル信号（ＳＳＢ）の送信リソースを含むスロットについて、端末は、「スロットがＳＳＢを含む場合（表４）のタイムドメインリソース割当パターン」を決定してこれを現在使用されているタイムドメインリソース割当パターンセットとし、第１のチャネル信号（ＳＳＢ）の送信リソースを含まないスロットについて、端末は、「スロットがＳＳＢを含まない場合（表５）のタイムドメインリソース割当パターン」を決定してこれをタイムドメインリソース割当パターンセットとする。さらに、基地局は、現在使用されているタイムドメインリソース割当パターンを、端末に対し、ダウンリンク制御情報によって指示する。
【００８６】
具体的には、第１のＳＣＳと第２のＳＣＳとの特定の組み合わせについて、複数のタイムドメインリソース割当パターンセットを定める。さらに、端末は、現在のスロットタイプに従い、スロットの、現在使用されているタイムドメインリソース割当パターンセットを決定する。
【００８７】
端末は、ＳＳＢ送信リソースを含む特定のスロットでＳＳＢが実際に送信されているか否かがわからないので、本明細書では、スロットタイプを区別するための根拠として「第１のチャネル信号（ＳＳＢ）が含まれているか否か」を用いるのではなく、「第１のチャネル信号（ＳＳＢ）の送信リソースが含まれているか否か」を使用する。
【００８８】
その他いくつかの実施形態において、現在使用されているタイムドメインリソース割当パターンセットは、ＤＣＩシグナリングによってのみ指示されてもよい。すなわち、ドメインリソース割当パターンセットは、ＳＣＳの組み合わせに関連するのではなく、定められた複数のタイムドメインリソース割当パターンセットを、第１のＳＣＳと第２のＳＣＳとのすべての組み合わせに適用することができ、現在使用されているタイムドメインリソース割当パターンセットは、シグナリングによってのみ通知される。
【００８９】
その他いくつかの実施形態において、現在使用されているタイムドメインリソース割当パターンセットをスロットタイプのみに従って決定してもよい。すなわち、ドメインリソース割当パターンセットは、ＳＣＳの組み合わせに関連するのではなく、シグナリングによって通知されない。
【００９０】
その他いくつかの実施形態において、タイムドメインリソース割当パターンセットをスロットタイプおよびＤＣＩシグナリングによって決定してもよい。すなわち、複数のタイムドメインリソース割当パターンセットをスロットタイプによって決定し、現在使用されているタイムドメインリソース割当パターンセットをＤＣＩシグナリングによって知らせる。これに代わるものとしては、タイムドメインリソース割当パターンセットのグループをＤＣＩシグナリングによって指示し、現在使用されているタイムドメインリソース割当パターンセットをＵＥがスロットタイプに従って決定する。
【００９１】
その他いくつかの実装例において、タイムドメインリソース割当パターンセットを、ＳＣＳとスロットタイプとＤＣＩシグナリングとの組み合わせによって決定してもよい。
【００９２】
注：タイムドメインリソース割当パターンセットをどの指示方式で決定するかに関係なく、指示方式とタイムドメインリソース割当パターンセットとの間の対応関係を予め定めておく必要がある。ある実施形態において、予め定められたものはプロトコルにおいて指定されてもよい。
【００９３】
注：上記ＤＣＩシグナリングは、その他のキャリアで搬送されるシグナリング、たとえば、他のキャリアで搬送される無線リソース制御（radio resource control：ＲＲＣ）シグナリングであってもよい。
【００９４】
上記説明は他の実装例にも使用できる。
実装例２：ＳＣＳ｛ＳＳＢ，ＲＭＳＩ｝＝｛１５，３０｝ｋＨｚ
サブキャリア間隔（ＳＣＳ）の組み合わせが｛ＳＳＢ，ＲＭＳＩ｝＝｛１５，３０｝ｋＨｚの場合について、表７は、スロットにおけるＳＳＢのマッピング位置、および、ＲＭＳＩサーチ空間の可能な位置を示す（すなわち、Ｄｃは、スロットにおいてＲＭＳＩサーチ空間が位置するシンボルを表す）。これに基づいて、ＳＳＢのうちのいくつかまたはすべてがある場合のＲＭＳＩ  ＰＤＳＣＨのタイムドメイン割当パターンがさらに与えられる。この実施形態において、空間位置１、２、４または１０に鑑みると、シンボル位置は第２のシンボルを超えないので、サーチ空間位置１、２、４および１０は１つのクラスとみなされる。サーチ空間位置３、５または６の最後のシンボルが第３のシンボルであることに鑑みると、サーチ空間位置３、５および６は１つのクラスとみなされる。スロットが２つのサーチ空間を含む場合、第２のサーチ空間をグレーで表す。ＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【００９５】
【表７】
2021520721.tif 000009
【００９６】
ＲＭＳＩが位置するスロットがＳＳＢを含まない場合の可能なタイムドメインリソース割当パターンについては表５を参照されたい。
【００９７】
表７および表５においてＤｃシンボルおよびＳＳＢシンボルのラベルを隠し表７および表５のＰＤＳＣＨシンボルのラベル（すなわちＤｄ）のみを残した場合、表７および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表８に示されるタイムドメインリソース割当表が得られる。表８は、ＳＣＳの組み合わせが｛ＳＳＢ，ＲＭＳＩ｝＝｛１５，３０｝ｋＨｚである場合の可能なタイムドメインリソース割当方式を示す。合計２８方式がある。これらの２８方式からいくつかの方式を選択してもよく、タイムドメイン割当をＲＭＳＩ  ＰＤＣＣＨの対応する数のビットで示してもよい。たとえば、ＰＤＳＣＨの現在使用されているタイムドメインリソース割当は、端末に対し、４ビットで示され、４つのリザーブ状態がある。別の例として、タイムドメインリソース割当のビットオーバヘッドを減じるために、標準規格において、２８のタイムドメインリソース割当方式のうちの１６方式がＲＭＳＩのデフォルトタイムドメインリソース割当パターン方式であると定義され、したがって、ＰＤＳＣＨの現在使用されているタイムドメインリソース割当パターンは、端末に対し、４ビットで示される。
【００９８】
【表８】
2021520721.tif 000010
【００９９】
実装例３：ＳＣＳ｛ＳＳＢ，ＲＭＳＩ｝＝｛３０，１５｝ｋＨｚ
サブキャリア間隔（ＳＣＳ）の組み合わせが｛ＳＳＢ，ＲＭＳＩ｝＝｛３０，１５｝ｋＨｚの場合について、表９は、スロットにおけるＳＳＢマッピングパターン１のマッピング位置、および、ＲＭＳＩサーチ空間の可能な位置を示す（すなわち、Ｄｃは、スロットにおいてＲＭＳＩサーチ空間が位置するシンボルを表す）。これに基づいて、表９は、ＳＳＢのうちのいくつかまたはすべてがある場合のＲＭＳＩ  ＰＤＳＣＨのタイムドメイン割当パターンを示す。サーチ空間位置のインデックスについては表３を参照されたい。空間位置１、２、４または１０に鑑みると、シンボル位置は第２のシンボルを超えないので、サーチ空間位置１、２、４および１０は１つのクラスとみなされる。サーチ空間位置３、５または６の最後のシンボルが第３のシンボルであることに鑑みると、サーチ空間位置３、５および６は１つのクラスとみなされる。スロットが２つのサーチ空間を含む場合、第２のサーチ空間をグレーで表す。ＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【０１００】
【表９】
2021520721.tif 000011
【０１０１】
2021520721.tif 000012
【０１０２】
表１０は、スロットにおけるＳＳＢマッピングパターン１のマッピング位置、および、ＲＭＳＩサーチ空間の可能な位置を示す（すなわち、Ｄｃは、スロットにおいてＲＭＳＩサーチ空間が位置するシンボルを表す）。これに基づいて、ＳＳＢのうちのいくつかまたはすべてがある場合のＲＭＳＩ  ＰＤＳＣＨのタイムドメイン割当パターンがさらに与えられる。
【０１０３】
ＳＳＢ０が実際に送信されるとき、サーチ空間位置１は、ＳＳＢなしのサーチ空間位置３と同等であり、これは表１０には具体的に示されていない。
【０１０４】
【表１０】
2021520721.tif 000013
【０１０５】
ＲＭＳＩが位置するスロットがＳＳＢを含まない場合の可能なタイムドメインリソース割当パターンについては表５を参照されたい。
【０１０６】
表１０、表９、および表５においてＤｃシンボルおよびＳＳＢシンボルのラベルを隠し表１０、表９、および表５のＰＤＳＣＨシンボルのラベル（すなわちＤｄ）のみを残した場合、表９、表１０、および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表１１に示されるタイムドメインリソース割当表が得られる。表１１は、ＳＣＳの組み合わせが｛ＳＳＢ，ＲＭＳＩ｝＝｛３０，１５｝ｋＨｚである場合の可能なタイムドメインリソース割当方式を示す。合計６２方式がある。これらの６２方式からいくつかの方式を選択してもよく、タイムドメイン割当をＲＭＳＩ  ＰＤＣＣＨの対応する数のビットで示してもよい。たとえば、標準規格において、ＰＤＳＣＨの現在使用されているタイムドメインリソース割当パターンは、端末に対し、６ビットで示され、２つのリザーブ状態がある。別の例として、タイムドメインリソース割当のビットオーバヘッドを減じるために、標準規格において、６２のタイムドメインリソース割当方式のうちの１６方式がＲＭＳＩのデフォルトタイムドメインリソース割当パターン方式であると定義され、したがって、ＰＤＳＣＨの現在使用されているタイムドメインリソース割当パターンは、端末に対し、４ビットで示される。
【０１０７】
加えて、表１１は、サブキャリア間隔の組み合わせ｛ＳＳＢ，ＲＭＳＩ｝＝｛３０，１５｝ｋＨｚの場合のＲＭＳＩ  ＰＤＳＣＨのタイムドメインリソース割当の汎用セットを示す。これに代えて、ＲＭＳＩ  ＰＤＳＣＨのタイムドメインリソース割当表を、それぞれ３０ｋＨｚのＳＳＢの異なるマッピングパターン（すなわちパターン１およびパターン２）について定めることにより、指示のオーバヘッドを減じることができる。
【０１０８】
加えて、異なるサーチ空間タイプに対して別々のリソース割当表を定める。たとえば、異なるタイムドメインリソース割当表を、以下の場合、すなわち、スロットが１つのサーチ空間のみを含む場合、スロットが２つのサーチ空間を含みＰＤＣＣＨが２つのサーチ空間のうちの第１のサーチ空間に含まれる場合、および、スロットが２つのサーチ空間を含みＰＤＣＣＨが２つのサーチ空間のうちの第２のサーチ空間に含まれる場合、に従って定める。
【０１０９】
【表１１】
2021520721.tif 000014
【０１１０】
2021520721.tif 000015
【０１１１】
実装例４：ＳＣＳ｛ＳＳＢ，ＲＭＳＩ｝＝｛３０，３０｝ｋＨｚ
サブキャリア間隔（ＳＣＳ）の組み合わせが｛ＳＳＢ，ＲＭＳＩ｝＝｛３０，３０｝ｋＨｚの場合について、表１２および表１３は、スロットにおけるＳＳＢマッピングパターン１のマッピング位置、および、ＲＭＳＩサーチ空間の可能な位置を示す（すなわち、Ｄｃは、スロットにおいてＲＭＳＩサーチ空間が位置するシンボルを表す）。これに基づいて、ＳＳＢのうちのいくつかまたはすべてがある場合のＲＭＳＩ  ＰＤＳＣＨのタイムドメイン割当パターンがさらに与えられる。サーチ空間位置のインデックスについては表３を参照されたい。空間位置１、２、４または１０に鑑みると、シンボル位置は第２のシンボルを超えないので、サーチ空間位置１、２、４および１０は１つのクラスとみなされる。サーチ空間位置３、５または６の最後のシンボルが第３のシンボルであることに鑑みると、サーチ空間位置３、５および６は１つのクラスとみなされる。スロットが２つのサーチ空間を含む場合、第２のサーチ空間をグレーで表す。ＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【０１１２】
【表１２】
2021520721.tif 000016
【０１１３】
【表１３】
2021520721.tif 000017
【０１１４】
ＲＭＳＩが位置するスロットがＳＳＢを含まない場合の可能なタイムドメインリソース割当パターンについては表５を参照されたい。
【０１１５】
表１２、表１３、および表５においてＤｃシンボルおよびＳＳＢシンボルのラベルを隠し表１２、表１３、および表５のＰＤＳＣＨシンボルのラベル（すなわちＤｄ）のみを残した場合、表１２、表１３、および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表１４に示されるタイムドメインリソース割当表が得られる。ＳＣＳの組み合わせが｛ＳＳＢ，ＲＭＳＩ｝＝｛３０，３０｝ｋＨｚである場合、合計５３の可能なタイムドメインリソース割当方式がある。これらの５３方式からいくつかの方式を選択してもよく、タイムドメイン割当をＲＭＳＩ  ＰＤＣＣＨの対応する数のビットで示してもよい。たとえば、標準規格において、ＰＤＳＣＨの現在使用されているタイムドメインリソース割当パターンセットは、端末に対し、６ビットで示され、１１のリザーブ状態がある。別の例として、タイムドメインリソース割当のビットオーバヘッドを減じるために、標準規格において、５３のタイムドメインリソース割当方式のうちの１６方式がＲＭＳＩのデフォルトタイムドメインリソース割当方式であると定義され、したがって、ＰＤＳＣＨの現在使用されているタイムドメインリソース割当パターンは、端末に対し、４ビットで示される。
【０１１６】
３０ｋＨｚのＳＳＢパターン２の実装例１において、タイムドメインリソース割当は、サブキャリア間隔の組み合わせが｛ＳＳＢ，ＲＭＳＩ｝＝｛１５，１５｝ｋＨｚである場合と同一である。３０ｋＨｚのＳＳＢパターン２のタイムドメインリソース割当構成の汎用セットとして、表６を再び使用してもよい。
【０１１７】
【表１４】
2021520721.tif 000018
【０１１８】
2021520721.tif 000019
【０１１９】
実装例５：ＳＣＳ｛ＳＳＢ，ＲＭＳＩ｝＝｛１２０，６０｝ｋＨｚ
サブキャリア間隔（ＳＣＳ）の組み合わせが｛ＳＳＢ，ＲＭＳＩ｝＝｛１２０，６０｝ｋＨｚの場合について、表１５は、スロットにおけるＳＳＢのマッピング位置、および、ＲＭＳＩサーチ空間の可能な位置を示す（すなわち、Ｄｃは、スロットにおいてＲＭＳＩサーチ空間が位置するシンボルを表す）。これに基づいて、ＳＳＢのうちのいくつかまたはすべてがある場合のＲＭＳＩ  ＰＤＳＣＨのタイムドメイン割当パターンがさらに与えられる。空間位置１、２、４または１０に鑑みると、シンボル位置は第２のシンボルを超えないので、サーチ空間位置１、２、４および１０は１つのクラスとみなされる。サーチ空間位置３、５または６の最後のシンボルが第３のシンボルであることに鑑みると、サーチ空間位置３、５および６は１つのクラスとみなされる。スロットが２つのサーチ空間を含む場合、第２のサーチ空間をグレーで表す。ＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【０１２０】
表１５のサーチ空間位置１〜９におけるタイムドメインリソース割当は、実装例３の３０ｋＨｚＳＳＢマッピングパターン１と同一であり、ここでは繰り返さない。
【０１２１】
【表１５】
2021520721.tif 000020
【０１２２】
2021520721.tif 000021
【０１２３】
ＲＭＳＩが位置するスロットがＳＳＢを含まない場合の可能なタイムドメインリソース割当パターンについては表５を参照されたい。
【０１２４】
表１５および表５においてＤｃシンボルおよびＳＳＢシンボルのラベルを隠し表１５および表５のＰＤＳＣＨシンボルのラベル（すなわちＤｄ）のみを残した場合、表１５および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表１６に示されるタイムドメインリソース割当表が得られる。ＳＣＳの組み合わせが｛ＳＳＢ，ＲＭＳＩ｝＝｛３０，３０｝ｋＨｚである場合、合計５４の可能なタイムドメインリソース割当方式がある。加えて、サーチ空間位置１〜９におけるタイムドメインリソース割当は、実装例３の３０ｋＨｚＳＳＢマッピングパターン１と同一である。上記５４方式および表１１の上記サーチ空間に対応するリソース割当を、タイムドメインリソース割当の汎用セットとして組み合わせる。この汎用セットからいくつかのタイムドメインリソース割当方式を選択してもよく、タイムドメイン割当をＲＭＳＩ  ＰＤＣＣＨの対応する数のビットで示す。たとえば、標準規格において、ＰＤＳＣＨの現在使用されているタイムドメインリソース割当は、端末に対し、６ビットで示され、１１のリザーブ状態がある。別の例として、タイムドメインリソース割当のビットオーバヘッドを減じるために、標準規格において、いくつかのタイムドメインリソース割当方式のうちの１６方式がＲＭＳＩのデフォルトタイムドメインリソース割当方式であると定義され、したがって、ＰＤＳＣＨの現在使用されているタイムドメインリソース割当パターンは、端末に対し、４ビットで示される。
【０１２５】
【表１６】
2021520721.tif 000022
【０１２６】
2021520721.tif 000023
【０１２７】
実装例６：ＳＣＳ｛ＳＳＢ，ＲＭＳＩ｝＝｛１２０，１２０｝ｋＨｚ
サブキャリア間隔（ＳＣＳ）の組み合わせが｛ＳＳＢ，ＲＭＳＩ｝＝｛１２０，１２０｝ｋＨｚの場合について、表１７は、スロットにおけるＳＳＢのマッピング位置、および、ＲＭＳＩサーチ空間の可能な位置を示す（すなわち、Ｄｃは、スロットにおいてＲＭＳＩサーチ空間が位置するシンボルを表す）。これに基づいて、ＳＳＢのうちのいくつかまたはすべてがある場合のＲＭＳＩ  ＰＤＳＣＨのタイムドメイン割当パターンがさらに与えられる。本実施形態において、サーチ空間位置｛１，２，４，５，７，８｝の状況は、表１２および表１３の対応するサーチ空間のリソース割当状況と同一であり、ここでは繰り返さない。
【０１２８】
スロットが２つのサーチ空間を含む場合、これら２つのサーチ空間のうちの第２のサーチ空間をグレーで表す。ＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【０１２９】
【表１７】
2021520721.tif 000024
【０１３０】
ＲＭＳＩが位置するスロットがＳＳＢを含まない場合の可能なタイムドメインリソース割当パターンについては表５を参照されたい。
【０１３１】
表１７および表５においてＤｃシンボルおよびＳＳＢシンボルのラベルを隠し表１７および表５のＰＤＳＣＨシンボルのラベル（すなわちＤｄ）のみを残した場合、表１７および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表１８に示されるタイムドメインリソース割当表が得られる。ＳＣＳの組み合わせが｛ＳＳＢ，ＲＭＳＩ｝＝｛１２０，１２０｝ｋＨｚである場合、合計３１の可能なタイムドメインリソース割当方式がある。加えて、サーチ空間割り当て｛１，２，４，５，７，８｝について、上記３１の可能なタイムドメインリソース割当方式および表１２および表１３の対応するサーチ空間のリソース割当状況を、タイムドメインリソース割当の汎用セットとして組み合わせる。この汎用セットからいくつかのタイムドメインリソース割当方式を選択してもよく、タイムドメイン割当をＲＭＳＩ  ＰＤＣＣＨの対応する数のビットで示す。たとえば、標準規格において、ＰＤＳＣＨの現在使用されているタイムドメインリソース割当は、端末に対し、６ビットで示され、１０のリザーブ状態がある。別の例として、タイムドメインリソース割当のビットオーバヘッドを減じるために、標準規格において、タイムドメインリソース割当の汎用セットのうちの１６方式がＲＭＳＩのデフォルトタイムドメインリソース割当方式であると定義され、したがって、ＰＤＳＣＨの現在使用されているタイムドメインリソース割当パターンは、端末に対し、４ビットで示される。
【０１３２】
【表１８】
2021520721.tif 000025
【０１３３】
実装例７：ＳＣＳ｛ＳＳＢ，ＲＭＳＩ｝＝｛２４０，６０｝ｋＨｚ
サブキャリア間隔（ＳＣＳ）の組み合わせが｛ＳＳＢ，ＲＭＳＩ｝＝｛２４０，６０｝ｋＨｚの場合について、表１９は、スロットにおけるＳＳＢのマッピング位置、および、ＲＭＳＩサーチ空間の可能な位置を示す（すなわち、Ｄｃは、スロットにおいてＲＭＳＩサーチ空間が位置するシンボルを表す）。これに基づいて、表１９は、ＳＳＢの一部またはすべてがある場合のＲＭＳＩ  ＰＤＳＣＨのタイムドメイン割当パターンを示す。
【０１３４】
この場合、ＲＭＳＩスロットは８個のＳＳＢを含む。可能なタイムドメイン割当パターンの数を単純にするために、４つの連続するＳＳＢ（すなわち、ＳＳＢ０〜３、またはＳＳＢ４〜７）の実際の送信状態は同一であると仮定する。ＳＳＢ０〜３のうちの特定のＳＳＢが実際に送信される場合、基地局がＲＭＳＩ  ＰＤＳＣＨのタイムドメインリソースを割り当てると、ＳＳＢ０〜３のうちのすべてが送信されるとみなされる。これはＳＳＢ４〜７についても同じである。表１９に示されるように、異なるタイムドメイン割当パターンが与えられている。スロットが２つのサーチ空間を含む場合、２つのサーチ空間のうちの第２のサーチ空間をグレーで表す。ＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【０１３５】
【表１９】
2021520721.tif 000026
【０１３６】
表１９および表５においてＤｃシンボルおよびＳＳＢシンボルのラベルを隠し表１９および表５のＰＤＳＣＨシンボルのラベル（すなわちＤｄ）のみを残した場合、表１９および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表２０に示されるタイムドメインリソース割当表が得られる。ＳＣＳの組み合わせが｛ＳＳＢ，ＲＭＳＩ｝＝｛２４０，６０｝ｋＨｚである場合、タイムドメインリソース割当の汎用セットの役割を果たす、合計３２の可能なタイムドメインリソース割当方式がある。この汎用セットからいくつかのタイムドメインリソース割当方式を選択してもよく、タイムドメイン割当をＲＭＳＩ  ＰＤＣＣＨの対応する数のビットで示してもよい。たとえば、標準規格において、ＰＤＳＣＨの現在使用されているタイムドメインリソース割当は、端末に対し、５ビットで示され、各種タイムドメインリソース割当方式と、指示ビットの値との間の対応関係が定められる。別の例として、タイムドメインリソース割当のビットオーバヘッドを減じるために、標準規格において、３２のタイムドメインリソース割当方式のうちの１６方式がＲＭＳＩのデフォルトタイムドメインリソース割当パターン方式であると定義され、各種タイムドメインリソース割当方式と、指示ビットの値との間の対応関係が定められ、したがって、ＰＤＳＣＨの現在使用されているタイムドメインリソース割当パターンは、端末に対し、４ビットで示される。
【０１３７】
【表２０】
2021520721.tif 000027
【０１３８】
実装例８：ＳＣＳ｛ＳＳＢ，ＲＭＳＩ｝＝｛２４０，１２０｝ｋＨｚ
サブキャリア間隔（ＳＣＳ）の組み合わせが｛ＳＳＢ，ＲＭＳＩ｝＝｛２４０，１２０｝ｋＨｚの場合について、表２１は、スロットにおけるＳＳＢのマッピング位置、および、ＲＭＳＩサーチ空間の可能な位置を示す（すなわち、Ｄｃは、スロットにおいてＲＭＳＩサーチ空間が位置するシンボルを表す）。これに基づいて、ＳＳＢのうちのいくつかまたはすべてがある場合のＲＭＳＩ  ＰＤＳＣＨのタイムドメイン割当パターンがさらに与えられる。
【０１３９】
スロットが２つのサーチ空間を含む場合、これら２つのサーチ空間のうちの第２のサーチ空間をグレーで表す。ＳＳＢは、ＳＳＢがマッピングされているシンボルを表す。Ｄｄは、ＰＤＳＣＨによって占有されるシンボルを表す。あるスロットが２つのサーチ空間を含む場合、第２のサーチ空間においてＰＤＳＣＨによって占有されＰＤＣＣＨが割り当てられるシンボルを、グレーで表す。
【０１４０】
【表２１】
2021520721.tif 000028
【０１４１】
2021520721.tif 000029
【０１４２】
表２１および表５においてＤｃシンボルおよびＳＳＢシンボルのラベルを隠し表２１および表５のＰＤＳＣＨシンボルのラベル（すなわちＤｄ）のみを残した場合、表２１および表５の各行は、タイムドメインリソース割当パターンに対応する。すなわち、各行のＤｄでラベル付けされたシンボルのセットは、タイムドメインリソース割当パターンであると定義される。同一のリソース割当パターンを併合すると、表２２に示されるタイムドメインリソース割当表が得られる。ＳＣＳの組み合わせが｛ＳＳＢ，ＲＭＳＩ｝＝｛２４０，１２０｝ｋＨｚである場合、合計３９の可能なタイムドメインリソース割当方式があり、これは、タイムドメインリソース割当の汎用セットの役割を果たす。この汎用セットからいくつかのタイムドメインリソース割当方式を選択してもよく、タイムドメイン割当パターンをＲＭＳＩ  ＰＤＣＣＨの対応する数のビットで示す。たとえば、標準規格において、ＰＤＳＣＨの現在使用されているタイムドメインリソース割当は、端末に対し、５ビットで示される。３９のタイムドメインリソース割当方式の中から３２のタイムドメインリソース割当方式を選択し、各種タイムドメインリソース割当方式と、指示ビットの値との間の対応関係を定める。別の例として、タイムドメインリソース割当のビットオーバヘッドを減じるために、標準規格において、３９のタイムドメインリソース割当方式のうちの１６方式がＲＭＳＩのデフォルトタイムドメインリソース割当方式であると定義され、指示ビットの値が定められ、したがって、ＰＤＳＣＨの現在使用されているタイムドメインリソース割当パターンは、端末に対し、４ビットで示される。
【０１４３】
【表２２】
2021520721.tif 000030
【０１４４】
実装例９
第２の信号チャネルおよび第２の信号チャネルに対応するダウンリンク制御情報の送信のために、ネットワーク側で、１つ以上の物理ダウンリンク制御チャネルモニタリングウィンドウ（ＰＤＣＣＨモニタリングウィンドウ）が構成される。異なるモニタリングウィンドウが異なるＳＳＢに対応付けられる。端末が、ＳＳＢの受信に応じて、このＳＳＢに対応するモニタリングウィンドウの位置を求め、第２のチャネル信号を搬送する。第２のチャネル信号は、残余最小限システム情報（ＲＭＳＩ）を搬送する物理ダウンリンク共有チャネル（ＰＤＳＣＨ）、ページング情報を搬送するＰＤＳＣＨ、その他システム情報（ＯＳＩ）を搬送するＰＤＳＣＨ、ランダムアクセス応答情報を搬送するＰＤＳＣＨ、ランダムアクセス衝突解消情報を搬送するＰＤＳＣＨ、ＭＳＧ２を搬送するＰＤＳＣＨ、または、ＭＳＧ４を搬送するＰＤＳＣＨ、のうちの少なくとも１つを含む。
【０１４５】
端末は、サーチ空間構成に従い、上記構成されたモニタリングウィンドウ内の第２のチャネル信号に対応するダウンリンク制御情報（ＤＣＩ）を検出する。モニタリングウィンドウは１つ以上のスロットを含む。モニタリングウィンドウが複数のスロットを含む場合、異なるモニタリングウィンドウが重なり合う場合がある。この場合、モニタリングウィンドウは、複数の第２のチャネル信号（異なるＳＳＢに対応）を含み得る。端末が検出したＳＳＢとの間に疑似コロケーション（quasi-co-location：ＱＣＬ）関係を有する第２のチャネル信号は、より高い検出性能を有するが、その他のＳＳＢに対応する第２のチャネル信号は、端末が、モニタリングウィンドウにおいて最初に検出し得るものである。受信に成功したとしてもアクセスは成功しない。したがって、端末について、１つのモニタリングウィンドウ内の複数のスロットで１つの第２のチャネル信号のみが送信されると考えることはできない。すなわち、端末は、第２のチャネル信号に対応するモニタリングウィンドウ内の１つ以上のスロットにおける第２のチャネル信号のダウンリンク制御情報を検出する必要がある。
【０１４６】
具体的には、次のプロセスにおける下記の場合において、端末は、モニタリングウィンドウ内の他のスロットにおける第２のチャネル信号のダウンリンク制御情報を引続き検出する必要がある。
【０１４７】
サブ実施例１
端末が、モニタリングウィンドウ内の特定のスロットにおける第２のチャネル信号のダウンリンク制御情報は正しく検出するが、第２のチャネル信号を正しく検出しない場合、端末が正しく検出した第２のチャネル信号のダウンリンク制御情報は、ビーム方向における、または、端末が属するダウンリンクポートでの、送信ではない可能性がある（すなわち、受信に成功したダウンリンク制御情報は、端末が過去に検出したＳＳＢとの間に疑似コロケーション（ＱＣＬ）関係を有していないが、モニタリングウィンドウが重複しているので端末が受信に成功したにすぎない）。よって、端末は、モニタリングウィンドウの他のタイムスロットにおける第２のチャネル信号のダウンリンク制御情報を引続き検出する必要がある。
【０１４８】
サブ実施例２
端末が、ＲＭＳＩのダウンリンク制御情報だけでなくＲＭＳＩも正しく検出し、ＲＭＳＩにおけるランダムアクセス構成に従ってプリアンブル送信を実行するがランダムアクセス応答情報を正しく検出できない場合、この場合の考えられる理由は、端末が受信したＲＭＳＩが、端末が過去に検出したＳＳＢとの間に疑似コロケーション（ＱＣＬ）関係を有していないことである。すなわち、受信したＲＭＳＩは端末が受信すべきターゲットＲＭＳＩではなく、この検出したＲＭＳＩにおける構成に従って送信されるランダムアクセス要求（プリアンブル）が不正確であると、基地局は、対応するランダムアクセス応答情報を返信しない。よって、端末は、引続き、第１のチャネル信号に対応するモニタリングウィンドウ内の他のスロットにおけるＲＭＳＩのダウンリンク制御情報を検出し、新たな受信に基づいて次のランダムアクセス要求および受信構成を決定する。
【０１４９】
本願において、各種実施形態の特徴は、対立しない限り相互に組み合わせて１つの実施形態にして使用してもよい。各実施形態は本願の最適な実現モードにすぎない。
【０１５０】
実施形態は、タイムドメインリソース割当方法およびシステムを提供する。同期信号ブロック送信リソースと競合しないタイムドメインリソース割当の解決策は、同期信号ブロックからさまざまなサブキャリア間隔の組み合わせにおけるスロットへのマッピングパターンに鑑みて得られる。
【０１５１】
本実施形態の解決策は、ＰＤＳＣＨがスロットにおける数個の連続シンボルの占有についてのみサポートされる既存のタイムドメインリソース割当モードによって生じる、ＲＭＳＩ  ＰＤＳＣＨへのリソース割当の制限を回避し、それによってリソース割当の効率および柔軟性が改善される。加えて、タイムドメインリソース割当リストが異なるサブキャリア間隔の組み合わせに対して定められ、タイムドメインリソース割当のオーバヘッドを大幅に低減、ＲＭＳＩ  ＰＤＳＣＨのタイムドメインリソース割当を効果的にサポートする。
【０１５２】
実施形態４
本開示の実施形態は、記憶媒体をさらに提供する。この記憶媒体はコンピュータプログラムを格納する。このコンピュータプログラムが実行されると上記実施形態のいずれかの方法のステップが実施される。
【０１５３】
任意で、この記憶媒体は、下記ステップを実施するためのコンピュータプログラムを格納するように構成されてもよい。
【０１５４】
ステップＳ１において、タイムドメインリソース割当パターンセットを決定する。タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含む。上記タイムドメインリソース割当パターンセットにおけるタイムドメインリソース割当パターンを用いることにより、上記第２のチャネル信号が占有するシンボルを示す。
【０１５５】
本実施形態において、記憶媒体は、ＵＳＢディスク、読出専用メモリ（ＲＯＭ）、ランダムアクセスメモリ（ＲＡＭ）、モバイルハードディスク、磁気ディスク、光ディスク、または、コンピュータプログラムを格納可能なその他の媒体を含み得るが、これらに限定される訳ではない。
【０１５６】
本開示の実施形態は、電子デバイスをさらに提供する。この電子デバイスは、メモリとプロセッサとを含む。メモリはコンピュータプログラムを格納する。プロセッサは、上記コンピュータプログラムを実行することにより、上記方法の実施形態のうちのいずれか１つのステップを実施するように構成される。
【０１５７】
任意で、電子デバイスは、送信デバイスと入出力デバイスとをさらに含み得る。送信デバイスはプロセッサに接続される。入出力デバイスはプロセッサに接続される。
【０１５８】
任意で、本実施形態において、プロセッサは、コンピュータプログラムを通して以下のステップを実行するように構成されてもよい。
【０１５９】
ステップＳ１において、タイムドメインリソース割当パターンセットを決定する。タイムドメインリソース割当パターンセットは、第１のチャネル信号のサブキャリア間隔（ＳＣＳ）である第１のＳＣＳと第２のチャネル信号のＳＣＳである第２のＳＣＳとの組み合わせに対応するタイムドメインリソース割当パターンセット、ダウンリンク制御情報（ＤＣＩ）シグナリングによって指示されるタイムドメインリソース割当パターンセット、または、スロットタイプに対応するタイムドメインリソース割当パターンセット、のうちの少なくとも１つを含む。上記タイムドメインリソース割当パターンセットにおけるタイムドメインリソース割当パターンを用いることにより、上記第２のチャネル信号が占有するシンボルを示す。
【０１６０】
任意で、本実施形態における具体例は、ここでは繰り返さない、上記実施形態および任意の実装例で説明した例であってもよい。
【０１６１】
明らかに、本開示のモジュールまたはステップのうちの各々は汎用コンピューティングデバイスによって実現できることを当業者は理解するであろう。これらのモジュールまたはステップは、単一のコンピューティングデバイスに集中させても、複数のコンピューティングデバイスで構成されるネットワークに分散させてもよい。任意で、上記各種モジュールまたは各種ステップは、コンピューティングデバイスが実行可能なプログラムコードによって実現されてもよく、上記各種モジュールまたは各種ステップは、このコンピューティングデバイスによって実行されるよう記憶装置に格納されてもよい。状況によっては、例示または記載されているステップは、本明細書に記載のものとは異なる順序で実行されてもよい。これに代えて、上記各種モジュールまたは各種ステップは、別々に各種集積回路モジュールにされてもよく、または、その複数のモジュールまたはステップが実装のために単一の集積回路モジュールにされてもよい。このように、本開示は、ハードウェアとソフトウェアとの任意の特定の組み合わせに限定されるものではない。
【０１６２】
先に述べたものは本開示の好ましい実施形態にすぎず、本開示を限定することを意図している訳ではない。当業者にとって、本開示は各種修正および変形を含み得るものである。本開示の精神と原理に基づいてなされたいずれの修正、均等の置換、改善などは本開示の範囲に含まれる。
【図１】
2021520721.tif 000031
【図２】
2021520721.tif 000032
【図３】
2021520721.tif 000033
【図４】
2021520721.tif 000034
【図５】
2021520721.tif 000035
【図６】
2021520721.tif 000036
【図７】
2021520721.tif 000037
【図８】
2021520721.tif 000038
【図９】
2021520721.tif 000039
【国際調査報告】
2021520721.tif 000040
2021520721.tif 000041
2021520721.tif 000042
2021520721.tif 000043
2021520721.tif 000044
2021520721.tif 000045